(57)【要約】  携帯用電子装置は、電子機器の機能を提供するための機能手段と、外部基本装置とともに、導体のない光学データ通信のための光学データ送信手段と、外部基本装置によって放射される磁場からの電磁結合によるエネルギー吸収のため、ならびに外部磁場から吸収されるエネルギーに基づいて、機能手段およびデータ送信手段にエネルギーを供給するためのエネルギー供給手段と、を含む。【選択図】図１
2013541318.tif 000002
【特許請求の範囲】
【請求項１】
電子機器の機能を提供するための機能手段（１２０）と、
外部基本装置とともに、導体のない光学データ通信のための光学データ送信手段（１４０）と、
前記外部基本装置（２００）から放射される磁場からの電磁結合によるエネルギー吸収のため、ならびに前記外部磁場から取得される前記エネルギーに基づいて、前記機能手段（１２０）および前記データ送信手段（１４０）にエネルギーを供給するためのエネルギー供給手段（１６０）と、
を含む、携帯用電子装置（１００）。
【請求項２】
前記エネルギー供給手段（１６０）は、充電可能な電荷蓄積素子（１６８）を含み、さらに、前記外部磁場から取得される前記エネルギーに基づいて、前記充電可能な電荷蓄積素子（１６８）にチャージさせるように実装される、請求項１に記載の携帯用電子装置。
【請求項３】
前記携帯用電子装置（１００）が前記基本装置（２００）から切断される場合、前記エネルギー供給手段（１６０）は、前記充電可能な電荷蓄積素子（１６８）から前記機能手段（１２０）にエネルギーを供給するように実装される、請求項２に記載の携帯用電子装置。
【請求項４】
前記電荷蓄積素子（１６８）は、充電可能なバッテリまたは充電可能なコンデンサストレージとして実装される、請求項２または請求項３に記載の携帯用電子装置。
【請求項５】
前記エネルギー供給手段（１６０）は、前記基本装置とともに、前記基本装置からの前記エネルギー送信に関するデータのデータ交換を実行するために実装される通信手段（１６４）を含む、請求項１ないし請求項４のいずれかに記載の携帯用電子装置。
【請求項６】
前記エネルギー送信に関するデータは、前記外部磁場を提供するための前記外部磁場を生成する前記基本装置のための制御情報を含む、請求項５に記載の携帯用電子装置。
【請求項７】
前記通信手段（１６４）は、ロード変調によって前記エネルギー送信に関するデータの前記データ変換を実行するように実装される、請求項５または請求項６に記載の携帯用電子装置。
【請求項８】
前記エネルギー供給手段（１６０）は、前記外部基本装置（２００）によって提供される前記磁場から電磁結合によるエネルギー吸収のためのアンテナ配列（１６２）、または複数のアンテナ配列（１６２−ｎ）を含む、請求項１ないし請求項７のいずれかに記載の携帯用電子装置。
【請求項９】
制御手段（１６４）は、前記エネルギー供給手段（１６０）に付随しており、ここで、前記制御手段は、前記携帯用電子装置の前記エネルギー需要に応じて、エネルギー吸収のための前記複数のアンテナ配列の個々のアンテナ配列を前記エネルギー供給手段に接続するか、またはそれを切断するように実装される、請求項８に記載の携帯用電子装置。
【請求項１０】
前記制御手段（１６４）は、前記他のアンテナ配列と比較して前記外部基本装置によって提供される前記磁場に増加した接続度を有する前記複数のアンテナ配列の前記アンテナ配列を決定するように実装され、そして、前記外部基本装置によって提供される前記磁場から電磁結合によるエネルギー吸収のために前記エネルギー供給手段に前記増加した接続度を有する前記アンテナ配列を接続するように、さらに実装される、請求項８または請求項９に記載の携帯用電子装置。
【請求項１１】
エネルギー吸収のための前記複数のアンテナの配列は、前記携帯用電子装置（１００）の１つのまたはいくつかの側面に分布するように配置される、請求項８ないし請求項１０のいずれかに記載の携帯用電子装置。
【請求項１２】
前記光学データ送信手段（１４０）は、前記外部基本装置（２００）とともに、導体のない光学データ送信を構築するための光学インタフェースエレメント（１４２）または複数の光学インタフェースエレメント（１４２−ｎ）を含む、請求項１ないし請求項１１のいずれかに記載の携帯用電子装置。
【請求項１３】
通信制御手段（１４４）は、前記光データ送信手段（１４０）に付随しており、ここで、前記通信制御手段は、前記携帯用電子装置と前記外部基本装置との間の前記通信のための前記帯域幅の必要量に応じて、前記光学データ送信手段に対して、前記データ送信のための前記複数の光学インタフェースエレメントの個々の光学インタフェースエレメントを起動させるかまたは停止させるように実装される、請求項１２に記載の携帯用電子装置。
【請求項１４】
前記機能手段（１２０）は、複数の電子機器の機能を含み、ここで、前記通信制御手段は、前記機能手段の電子機器の機能を付随した外部基本装置とともに、前記複数の光学インタフェースエレメントの光学インタフェースエレメントに対して前記データ通信を割り当てるように実装される、請求項１２または請求項１３に記載の携帯用電子装置。
【請求項１５】
前記携帯用電子装置を前記外部基本装置に接続する場合、前記通信制御手段（１４４）は、前記外部基本装置とともに、導体のない光学通信接続を設定しうる前記複数の光学インタフェースエレメントの前記光学インタフェースエレメントを決定するように、さらに実装される、請求項１３または請求項１４に記載の携帯用電子装置。
【請求項１６】
前記光学インタフェースエレメント（１４２）または前記複数の光学インタフェースエレメント（１４２−ｎ）は、赤外領域において、前記外部基本装置に対して、導体のない光学データ送信を実行するように実装される、請求項１２ないし請求項１５のいずれかに記載の携帯用電子装置。
【請求項１７】
携帯電話、ノートパソコン、タブレット型パソコン、電子書籍またはデジタルカメラとして実装される携帯用電子装置であって、ここで、前記機能手段は、電子機器の機能としてアプリケーションまたはサービスを実行するように実装される、請求項１ないし請求項１６のいずれかに記載の携帯用電子装置。
【請求項１８】
携帯用データ記憶装置として実装される携帯用電子装置であって、ここで、前記機能手段は、データを格納するための大容量記憶素子を含み、そして、電子機器の機能としてそれを提供する、請求項１ないし請求項１６のいずれかに記載の携帯用電子装置。
【請求項１９】
人または患者を監視するための遠隔監視装置として実装される携帯用電子装置であって、ここで、前記機能手段は、電子機器の機能として、人または患者の医療のまたは生理学的なデータを検知するように実装され、そして検知されたデータを評価するかまたはインタフェースによって前記外部基本装置にまたはそれに接続された評価のための周辺装置に提供するように実装される、請求項１ないし請求項１６のいずれかに記載の携帯用電子装置。
【請求項２０】
気体であるか液体環境の影響について、完全に密封してカプセル化される、請求項１ないし請求項１９のいずれかに記載の携帯用電子装置。
【請求項２１】
オペレータのためのデータインタフェースおよび／または対話インタフェースをさらに含む、請求項１ないし請求項２０のいずれかに記載の携帯用電子装置。
【請求項２２】
携帯用電子装置（１００）に対するエネルギーおよびデータ送信のための基本装置（２００）であって、
生成された磁場からの電磁結合によって前記携帯用電子装置（１００）のエネルギー供給のための磁場を生成するためのエネルギー提供手段（２２０）と、
前記携帯用電子装置（１００）とともに、導体のない光学データ通信のための光学双方向性データ通信手段（２４０）と、
を含む、基本装置（２００）。
【請求項２３】
前記エネルギー提供手段（２２０）は、前記携帯用電子装置（１００）とともに、前記基本装置（２００）から前記携帯用電子装置（１００）に対するエネルギー送信に関するデータのデータ変換を実行するように実装される基本通信手段（２２４）を含む、請求項２２に記載の基本装置。
【請求項２４】
前記エネルギー提供手段（２２０）は、前記生成された磁場からの電磁結合によって前記携帯用電子装置のエネルギー供給のための前記磁場を生成するためのアンテナ配列（２２２）または複数のアンテナ配列（２２２−ｎ）を含む、請求項２２または請求項２３に記載の基本装置。
【請求項２５】
アンテナ配列制御手段（２２４）は、前記エネルギー提供手段（２２０）に付随しており、ここで、前記アンテナ配列制御手段は、前記携帯用電子装置の前記エネルギー需要に応じて、エネルギー供給のための前記複数のアンテナ配列の個々のアンテナ配列を前記エネルギー提供手段に接続するか、またはそれらをそれから切断するように実装される、請求項２４に記載の基本装置。
【請求項２６】
前記アンテナ配列制御手段（２２４）は、少なくとも前記他のアンテナ配列と比較して前記携帯用電子装置に対して増加した接続度を含む前記複数のアンテナ配列の前記アンテナ配列を決定するように実装され、そして、前記携帯用電子装置のエネルギー供給のための磁場を生成する前記エネルギー提供手段に対して前記増加した接続度を有する前記アンテナ配列を接続するように、さらに実装される、請求項２４または請求項２５に記載の基本装置。
【請求項２７】
前記光学双方向性データ通信手段（２２０）は、前記携帯用電子装置とともに、導体のない双方向の光学データ通信を構築するための光学インタフェースエレメント（２４２）または複数の光学インタフェースエレメント（２４２−ｎ）を含む、請求項２２ないし請求項２６のいずれかに記載の基本装置。
【請求項２８】
通信制御手段（２４４）は、前記光学データ通信手段（２４０）に付随しており、ここで、前記通信制御手段は、前記基本装置と前記携帯用電子装置との間の前記通信のための前記帯域幅の必要量に応じて、前記光学データ送信手段に対して、前記データ送信のための前記複数の光学インタフェースの個々の光学インタフェースエレメントを起動させるかまたは停止させるように実装される、請求項２７に記載の基本装置。
【請求項２９】
前記通信制御手段（２４４）は、前記携帯用電子装置の電子機器の機能に付随した前記携帯用電子装置とともに、前記複数の光学インタフェースエレメントの光学インタフェースエレメントに対して、前記データ通信を付随するように実装される、請求項２７または請求項２８に記載の基本装置。
【請求項３０】
前記基本装置を携帯用電子装置に接続する場合、前記通信制御手段（２４４）は、前記携帯用電子装置とともに、光学の導体のない通信接続を設定しうる前記複数の光学インタフェースエレメントの前記光学インタフェースエレメントを決定するように、さらに実装される、請求項２８または請求項２９に記載の基本装置。
【請求項３１】
前記光学インタフェースエレメント（２４２）または前記複数の光学インタフェースエレメント（２４２−ｎ）は、赤外領域において、光学の導体のないデータ送信を実行するように実装される、請求項２７ないし請求項３０のいずれかに記載の基本装置。
【請求項３２】
エネルギーおよびデータ送信のために位置合わせした、前記基本装置での所与の位置において、前記携帯用電子装置を確定し、および／または備え付けるための確定手段を、さらに含む、請求項２２ないし請求項３３のいずれかに記載の基本装置。
【請求項３３】
前記確定手段は、機械式、および／または磁気固定エレメントを含む、請求項３２に記載の基本装置。
【請求項３４】
複数の周辺装置に複数のデータインタフェースを提供するためのポート・リプリケータを、さらに含む、請求項２２ないし請求項３３のいずれかに記載の基本装置。
【請求項３５】
前記ポート・リブリケータは、インタフェースを介して、前記複数の周辺装置に対するデータ接続のための信号処理手段、および／またはマルチプレクサ装置を含む、請求項３４に記載の基本装置。
【請求項３６】
前記エネルギー提供手段（２２０）および前記データ通信手段（２４０）を制御するための制御手段（２６０；２２４，２４４）を、さらに含む、請求項２２ないし請求項３５のいずれかに記載の基本装置。
【請求項３７】
アプリケーション、またはサービスを提供するための機能手段（１２０）と、
外部基本装置とともに、導体のない光学データ通信のための光学双方向性データ送信手段（１４０）と、
前記外部基本装置によって放射される磁場からの電磁結合によるエネルギー吸収のため、および前記外部磁場から取得される前記エネルギーに基づいて、前記機能手段および前記データ送信手段にエネルギーを供給するためのエネルギー供給手段（１６０）と、
を含み、
ここで、前記エネルギー供給手段は、充電可能な電荷蓄積素子（１６８）を含み、さらに、前記外部磁場から取得される前記エネルギーに基づいて、前記充電可能な電荷蓄積素子にチャージさせるように実装される、携帯用であり、マルチメディアが使用可能な端末装置。
【請求項３８】
前記電荷蓄積素子（１６８）は、充電可能なバッテリとして実装され、ここで、前記携帯用電子装置が前記基本装置から切断される場合、前記エネルギー供給手段は、前記充電可能な電荷蓄積素子から前記機能手段にエネルギーを供給するために実装される、請求項３７に記載の携帯用であり、マルチメディアが使用可能な端末装置。
【請求項３９】
データを格納する形式で、電子機器の機能を提供するため、および要請に応じて格納されたデータを提供するための不揮発性記憶素子を有する機能手段（１２０）と、
外部基本装置とともに、導体のない光学データ通信のための光学双方向性データ送信手段と（１４０）、
前記外部基本装置から放射された磁場からの電磁結合によるエネルギー吸収のため、ならびに前記外部磁場から取得される前記エネルギーに基づいて、前記機能手段およびデータ送信手段にエネルギーを供給するためのエネルギー供給手段と、
を含み、
ここで、前記エネルギー供給手段は、充電可能な電荷蓄積素子（１６８）を含み、さらに、前記外部磁場から取得される前記エネルギーに基づいて、前記充電可能な電荷蓄積素子にチャージさせるように実装される、携帯用データ記憶装置。
【請求項４０】
前記電荷蓄積素子（１６８）は、ブリッジまたは短期のエネルギーストレージの形式で、充電可能なコンデンサストレージとして実装され、ここで、前記携帯用電子装置が前記基本装置から切断される場合、前記エネルギー供給手段は、前記充電可能な電荷蓄積素子から前記機能手段にエネルギーを供給するように実装される、請求項３９に記載の携帯用電子装置。
【請求項４１】
請求項１ないし請求項２１のいずれかに記載の携帯用装置とともに、導体のないエネルギーおよびデータ送信接続を製造するための請求項２２ないし請求項３６のいずれかに記載の基本装置の使用。
【請求項４２】
前記基本装置は、インタフェースを介して接続される周辺装置と前記携帯用電子装置との間のデータ接続を構築する、請求項４１に記載の使用。
【請求項４３】
携帯用電子装置を外部基本装置に接続するための方法であって、前記方法は、
前記外部基本装置（２００）の接続領域において存在する携帯用電子装置（１００）を決定するステップと、
前記携帯用電子装置と前記外部基本装置との間に導体のないエネルギーおよびデータ送信を構築するステップと、
を含む、方法。
【請求項４４】
他のアンテナ配列のうちの少なくとも１つと比較して、前記外部基本装置によって提供される前記磁場に増加した接続度を含む前記携帯用電子装置の複数のアンテナ配列からアンテナ配列を決定するステップと、
前記外部基本装置によって提供される前記磁場からの電磁結合によるエネルギー吸収のための増加した接続度を有する前記アンテナ配列を切り替えるステップと、
をさらに含む、請求項４３に記載の方法。
【請求項４５】
前記携帯用電子装置を前記外部基本装置に接続する場合、前記外部基本装置とともに、導体のない光学通信接続を設定しうる複数の光学インタフェースエレメントの光学インタフェースエレメントを決定するステップをさらに含む、請求項４３または請求項４４に記載の方法。
【請求項４６】
他のアンテナ配列のうちの少なくとも１つと比較して、前記携帯用電子装置とともに、増加した接続度を含む前記外部基本装置の複数のアンテナ配列からアンテナ配列を決定するステップと、
前記携帯用電子装置のエネルギー供給のために磁場を生成するための前記エネルギー提供手段に対する前記増加した接続度を有する前記アンテナ配列において切り替えるステップと、
をさらに含む、請求項４３ないし請求項４５のいずれかに記載の方法。
【請求項４７】
前記基本装置を携帯用電子装置に接続する場合、前記携帯用電子装置とともに、光学の導体のない通信接続を設定しうる前記外部基本装置の複数の光学インタフェースエレメントから光学インタフェースエレメントを決定するステップをさらに含む、請求項４３ないし請求項４６のいずれかに記載の方法。
【発明の詳細な説明】
【技術分野】
【０００１】
本発明は、携帯用電子装置、外部基本装置（たとえば、ドッキング・ステーション）、携帯用電子装置を外部基本装置ならびに携帯用機器に接続するエネルギーおよびデータのための外部基本装置の使用に関し、特に、導体のない（ワイヤレスの）エネルギーおよびデータ送信のための基地局またはドッキング・ステーションのような一般消費者分野（医学技術または生産技術および付随する外部基本装置）の携帯用電子装置に関する。したがって、本発明は、特に、基地局と携帯用電子端末装置との間にワイヤレスの（導体のない）エネルギーおよびデータ送信のためのこれらの携帯用端末装置を接続するためのプラグのない携帯用電子端末装置および付随する基地局に提供することに関する。
【背景技術】
【０００２】
データ通信の多くの分野において、今日、携帯用電子端末装置が用いられる。たとえば、消費者領域のための装置、たとえば、携帯電話、タブレット型パソコン、電子書籍、カメラ、ノートパソコン、医療技術のための装置、たとえば、遠隔監視システム等、あるいは工業、たとえば、工業的なカメラ等である。携帯用アプリケーションおよび携帯用電子装置のサービスだけでなく、携帯用電子装置としてノートパソコンの場合、バッテリの充電、基地局に関するデータの比較または基地局に接続される周辺装置、保存データおよびドッキング・ステーションを介して外部周辺装置に接続することは、同様の操作をするために必要不可欠である。
【０００３】
接続およびインタフェースを介して携帯用電子端末装置のエネルギー供給のために、今まで、主にプラグ・ベースの解決案が、限られたパフォーマンスまたは効率をユーザフレンドリ、長期間の安定性または信頼性の分野における限られたパフォーマンスまたは効率を提供するのみで使用されていた。ここで、これらの不足は、特に、できるだけ高いデータレートを有するデータ伝送によって生ずる。たとえば、ダストや水の浸入から装置を保護するためのＤＩＮ（ドイツ工業標準規格）  ＥＮ  ６０５２９による保護クラスにしたがって顕在化するとき、パフォーマンスを制限する基準は、特に、高頻度で、高データレートおよび装置の低い保護度に関する課題であるプラグコンタクトの回避不可能な損耗である。
【０００４】
ドッキング・ステーションに対するローカルワイヤレスネットワークの携帯用電子端末装置のワイヤレスの接続のための周知のＲＦに基づいたアプローチについては、しかしながら、比較的低い総データレートのみは、比較的低い効率（約２０〜５０％）によって得られる。その結果、携帯用端末装置と基地局あるいは基地局に接続される周辺装置との間の比較的低いネットデータレートだけが実現されうる。
【発明の概要】
【発明が解決しようとする課題】
【０００５】
この先行技術に基づいて、携帯用電子端末装置および携帯用電子端末装置に接続するための付随する外部基地局に改良された概念を提供すること、携帯用電子端末装置のオペレータのための簡単な処理と同様に信頼性が高い処理ならびにデータの交換およびエネルギー送信のための付随する外部基地局の両方を提供することが、本発明の根本的な目的である。
【課題を解決するための手段】
【０００６】
この目的は、請求項１に記載の携帯用電子装置、請求項２２に記載の携帯用電子装置にエネルギーおよびデータを伝送する基本装置、請求項３７に記載の携帯用マルチメディア対応の端末装置、請求項３９に記載の携帯用データ記憶装置、請求項４１に記載の携帯用装置を有する導体のないエネルギーおよびデータ送信を生成するための基本装置の使用によって、および請求項４３に記載の携帯用電子装置を外部基本装置に接続するための方法によって解決される。
【０００７】
本発明の根本概念は、外部基本装置とともに、導体のない（導体または導波路のない）光学の双方向性データ通信のための光学データ送信手段を有し、このことに加えて、外部基本装置によって放射された磁場からの電磁結合によるエネルギー吸収のため、ならびに外部磁場から取得されるエネルギーに基づいて、実装される機能ユニットおよびデータ送信手段にエネルギーを供給するための導体のないエネルギー供給手段を有する携帯用電子端末装置を導入することである。
【０００８】
本発明による携帯用電子装置は、エネルギーおよびデータ送信のための外部基本装置に付随し、生成される磁場から電磁結合によって携帯用電子装置のエネルギー供給のための磁場を生成するための導体のないエネルギー提供手段を含み、携帯用電子装置とともに、導体のない光学双方向性データ通信のための光学データ通信手段をさらに含む。
【０００９】
本発明によれば、このように、携帯用電子装置と外部基本装置との間に、たとえば、基地局またはドッキング・ステーションのように、携帯用電子端末装置に対する導体のないエネルギーおよびデータ送信が実行されうる。
【００１０】
外部基本装置は、このように、たとえば、消費者向け端末装置の充電式電池にチャージするため、および双方向に携帯用電子端末装置とともにデータを交換するために実装される。加えて、携帯用電子端末装置は、外部基本端末において、エネルギーを供給される。その結果、携帯用電子端末装置において、または携帯用電子端末装置よって実行されるアプリケーションおよびサービスが、チャージ過程の間にまだ使用できる。本発明によれば、外部基本装置から携帯用電子装置へのエネルギー送信は、（疎結合トランスに類似する）電磁結合の原理に基づいており、ここで、以下において記載される特別なアンテナ配列および回路概念に基づいて、たとえば、１０ＫＨｚから２０ＫＨｚの周波数については、２桁のワットの範囲に対するパワーアップが、外部基本装置によって提供され、携帯用電子端末装置によって受信されうる。
【００１１】
さらに、光学の双方向性の導体のない通信装置によるワイヤレスデータ送信は、ギガビット／ｓの範囲まで上げる非常に高いデータ送信を提供する。携帯用電子装置と外部基本装置との間の光学の双方向性の導体のないデータ通信の特別な効果は、データ保護状況に関して非常に安全なデータ接続であり、そして、電磁妨害のソースに関して独立のおよび電磁波耐性である。その結果、高い電磁妨害適合性「ＥＭＣ」が、すなわち、その環境に関して、基本的に携帯用電子装置の干渉の欠如が存在する。さらに、光学データ通信に関して、周波数帯域および帯域幅の調節が、連邦ネットワーク機関（Ｆｅｄｅｒａｌ  Ｎｅｔｗｏｒｋ  Ａｇｅｎｃｙ；Ｂｕｎｄｅｓｎｅｔｚａｇｅｎｔｕｒ）のような国内当局によって存在しない場合、基本的に世界的なユーザビリティが保証される点に、留意されたい。
【００１２】
本発明によれば、光学データ送信は、視覚的な接続または視線に基づく。これによって、非常に簡単な方法で、非常に安全なデータ接続が、携帯用電子装置と外部基本装置との間で提供されうる。加えて、並列に配置されるいくつかのピコセル、すなわち、いくつかの並列の光学送信エレメントにおいて、全面的な帯域幅を各々利用することは、ＲＦベースのアプローチと比較して可能である。このように、本発明によれば、ガラス・ファイバーネットワークの範囲におけるデータレートが、実現されうるように、（たとえば、半二重または全二重モードにおける）携帯用電子装置および接続された外部基本装置におけるいくつかのデータチャンネルの並列処理において、いくつかのギガビット／ｓのデータレートが得られうる。このように、特に、この波長の範囲のための現在の利用可能な受信ダイオードの感度が非常に高く、このノイズ、すなわち、可視光と比較した環境の干渉は、非常に低いとき、光学データ送信は、赤外領域、たとえば、８５０から９００ｎｍの波長において、非常に効果的に利用されうる。しかしながら、もちろん、その中にも可視波長範囲において、すべての技術的に使用できる波長は、光学データ送信のために利用されうる。
【００１３】
次に、本発明によれば、機械的摩耗に左右される外部的にアクセス可能なプラグコンタクトが、携帯式電子装置および付随する外部基本装置のための発明概念において必要でないとき、（非常に強力な）塵および水不浸透性の携帯用端末装置はさらに必要なインタフェースなしで製造されうる。そして、同時に、それらの信頼性およびユーザフレンドリは増加されうる。このように、これに加えて、発明概念の利用の更なる可能性は、たとえば、医療技術の中に存在する。このように、遠隔監視システム（すなわち、患者の医学的なあるいは生理的データをモニタするシステム）は、発明の携帯用電子装置およびその付随する外部基本装置に基づいて構成されうる。ここで、遠隔監視端末装置の形式における携帯用電子装置は、電気的に、および機械的にアクセス可能なインタフェースが必要でないという事実のため、環境の影響に対して完全に密封してカプセル化されうる。このように、この種の携帯用の医療端末装置は容易にウイルスを除去されるために、たとえば、行うことができる。そして、強くて、掃除するのが容易である。たとえば、この種の遠隔監視デバイスは、加えて、簡易に費用効果の高い管理をとともに、検査すべき身体の洗濯可能な衣類に組み込まれうる。
【００１４】
産業用カメラのような他の活用分野、または、本発明を用いる携帯電話、タブレット型パソコン、電子書籍等のような携帯用のマルチメディア能力を有する端末装置での消費者領域において、シンプルで、小さく、軽く、そして、より費用効果的なハウジングが携帯用端末のために使用される。この携帯用端末は、同時により高い保護度を携帯用端末に提供して、そして、改良されたユーザフレンドリおよび信頼性を有する厳しい環境の影響に従属しうる。その問題は別にして、発明に基づいて、たとえば、ノートパソコン、タブレット型パソコン、電子書籍、携帯電話等の導体のないエネルギーおよびデータ送信の概念は、たとえば、従来の装置で可能とするよりもさらに付き従うように構成されうる。
【００１５】
本発明のさらに主要な問題は、今日のＵＳＢスティック、ＳＤカード、携帯用ディスクまたはＳＳＤ（Ｓｏｌｉｄ  Ｓｔａｔｅ  Ｄｉｓｋ）を置き換えうる本発明の概念を用いて、たとえば、プラグのないメモリスティックのような携帯用の導体またはプラグのないデータ記憶装置を得ることである。たとえば、バッテリのないこれらの携帯用データ記憶装置は、読み込み／書き込みステーションによって光学通信インタフェースを介して読み込み／書き込み処理のためのワイヤレス（光学）データ送信の間、エネルギーをワイヤレスに供給する。すなわち、外部基本装置は、たとえば、コンピュータ、カメラ、マルチメディアのキオスクとして実装されるか、または、インタフェースを介して周辺機器としてその種の装置に接続される。データ記憶装置のための現在の利用可能なソリューションと比較した本発明のプロセスの主な効果は、この種の携帯用データ記憶装置の高いロバスト性は別として、特に、非常に高い取得できるデータレートであり、そして、このように携帯用データ記憶装置と付随または接続される外部基本端末または更なる周辺装置との間の極めて早いデータ伝送である。
【００１６】
特に、導体のないエネルギーおよびデータ送信によって導入される携帯用電子装置および付随する外部基本装置に対する本発明の概念は、異なる分野で使用されうる。それは、エネルギー送信、すなわち、効率、フォームファクタ、重さ、安定度、ユーザフレンドリまたは信頼性のような付随する測定基準に関するものと同様に、携帯用電子装置の電力入力およびデータ通信のためのデータレートに関して、異なる要件を有する。
【００１７】
本発明の好ましい実施の形態は、図に関してより詳細に以下に説明される。
【図面の簡単な説明】
【００１８】
【図１】図１ａおよび図１ｂは、本発明の実施の形態にかかる携帯用電子装置および外部基本装置の概要図である。
【図２ａ】図２ａは、本発明の更なる実施の形態にかかる付随する機能ユニットを有する携帯用電子装置の概要図である。
【図２ｂ】図２ｂは、本発明の更なる実施の形態にかかる付随する機能ユニットを有する携帯用電子装置の概要図である。
【図３ａ】図３ａは、本発明の更なる実施の形態にかかる付随する機能ユニットを有する携帯用データ記憶装置の概要図である。
【図３ｂ】図３ｂは、本発明の更なる実施の形態にかかる付随する機能ユニットを有する携帯用データ記憶装置の概要図である。
【図３ｃ】図３ｃは、本発明の更なる実施の形態にかかる付随する機能ユニットを有する携帯用データ記憶装置の概要図である。
【図４ａ】図４ａは、本発明の更なる実施の形態にかかる付随する機能ユニットを有する外部基本装置の概要図である。
【図４ｂ】図４ｂは、本発明の更なる実施の形態にかかる付随する機能ユニットを有する外部基本装置の概要図である。
【図４ｃ】図４ｃは、本発明の更なる実施の形態にかかる付随する機能ユニットを有する外部基本装置の概要図である。
【図５ａ】図５ａは、本発明の更なる実施の形態にかかる携帯用電子装置および外部基本装置の導体のないエネルギーおよびデータ送信のための装置の代替の実施の形態の概要図である。
【図５ｂ】図５ｂは、本発明の更なる実施の形態にかかる携帯用電子装置および外部基本装置の導体のないエネルギーおよびデータ送信のための装置の代替の実施の形態の概要図である。
【図６】図６は、本発明の更なる実施の形態にかかる携帯用電子装置の代替の実施の概要図である。
【図７】図７は、本発明の更なる実施の形態にかかる携帯用電子装置を外部基本装置に接続するための方法である。
【発明を実施するための形態】
【００１９】
本発明が、以下において、図を参照してより詳細に説明する前に、図における同一で、機能的に同類または外見的に同類である要素は同一の参照番号を備えている点に留意されたい。その結果、異なる実施の形態において表されるそれらの要素の説明は、相互に交換可能であり、あるいは相互に適用することができる。
【００２０】
以下において、図１ａ−ｂに関して、携帯用電子装置１００およびさらに外部基本装置２００に対する第１の実施の形態が本発明の実施の形態に従って説明される。
【００２１】
図１ａは、電子機器の機能を提供するための機能手段１２０と、外部基本装置とともに、導体のない光学データ通信のための光学双方向性データ送信手段１４０と、外部基本端末２００によって放射される磁場からの電磁結合によるエネルギー吸収のため、ならびに
外部磁場から取得されるエネルギーＥに基づいて、機能手段１２０およびデータ送信手段１４０にエネルギーを供給するためのエネルギー供給手段１６０を有する、携帯用電子装置１００を示す。
【００２２】
図１ｂは、本発明の実施の形態にかかる携帯用電子装置１００に対するエネルギーおよびデータ送信のための独創的な基本装置２００の概要図を示す。外部基本装置２００は、携帯用電子装置１００のエネルギー供給のための磁場生成のためのエネルギー提供手段２２０、および携帯用電子装置とともに、導体のない光学の双方向性データ通信のための光学双方向性データ通信手段２４０を含む。
【００２３】
図１ｂにおいて、更に、周辺装置３００は、外部基本装置に接続され、任意に例示される。ここで、たとえば、周辺装置は、外部基本装置２００を介して携帯用電子装置１００に対するデータ接続を有する。外部基本装置２００は、さらに、任意に、Ｉ／Ｏインタフェース、または携帯用電子装置１００に対する周辺装置３００の論理接続のための（より高水準の）制御手段２６０を含みうる。あるいは、基本装置２００自体が、ユーザの指示を入力するための対応するユーザ・インタフェースを有する周辺装置（たとえば、パソコン、ノートパソコン等）の機能を含みうる。
【００２４】
以下において、まず、携帯用電子装置１００およびその中に含まれる機能ユニットの可能な実施の形態が述べられる。これに関連して、携帯用電子装置１００は、たとえば、携帯電話、ノートパソコン、タブレット型パソコン、電子書籍またはデジタルカメラのような、携帯用のマルチメディア能力がある端末装置でありうる。ここで、次に、機能手段１２０は、電子機器の機能として、携帯用のマルチメディア能力がある端末装置１００のアプリケーションまたはサービスを実行するように実装される。同様に、携帯用電子装置は、携帯用データ記憶装置として実装されうる。ここで、機能手段１２０は、そのとき、その電子機器の機能として、データを格納するように不揮発性大容量記憶装置を含み、要求に応じて、再度それを提供する。その問題は別として、たとえば、携帯用電子装置は、人または患者の監視のためのいわゆる遠隔監視装置としても、実装されうる。ここで、機能手段１２０は、おそらく、周囲の外気に関して環境データも、人もしくは患者の医学的なもしくは生理的なデータを電気であるか、または電子機器の機能として検知されるように実装され、そして、検知されたデータを評価するように、または外部基本装置１００にもしくはレンダリングおよび評価のためのインタフェースを介して、それに接続される周辺装置３００に提供するように実装される。一般的に言えば、携帯用電子装置１００は、エネルギーの供給およびデータ変換のための外部基本装置２００に接続可能であるか、または結合可能であるいくつかの携帯用電子装置に関する。
【００２５】
次に、以下において、順々に、本発明の携帯用電子装置１００および外部基本装置２００の（各々に関するそれらの配置に従って）個々のアセンブリが説明される。
【００２６】
次に、携帯用電子装置１００のエネルギー供給手段１６０は、コイルコアがあるかあるいはなしのコイルあるいはｎ回の巻き数を有するコイルアンテナの形式におけるアンテナ配列１６２を含み、疎結合トランスの原理にしたがって、電磁結合によって提供される必要なエネルギーＥを有するように含む。
【００２７】
反誘導（ｃｏｕｎｔｅｒ−ｉｎｄｕｃｔｉｏｎ）または電磁結合（ｉｎｄｕｃｔｉｖｅ  ｃｏｕｐｌｉｎｇ）として相互に関係がある、２台以上の空間的に隣接する電気回路、すなわち、たとえば、携帯用電子装置１００のアンテナ配列１６２および２２２は、コイルとして実装され、外部基本装置２００は、数学的なフラックスΦによって設計されうる。
【００２８】
携帯用電子装置１００および外部基本装置２００の２つのアンテナ配列１６２および２２２との間の電磁結合を増加させるために、アンテナ配列１６２または２２２は、磁気コアまたはフェライトコアを各々備えうる。磁気コア（たとえば、フェライトコア）は部材である。そして、それは、コイル（スロットルまたはトランス）のコアであることが、その誘導性を増加させるか、または磁場を導く。たとえば、コイルとして実装される携帯用電子装置１００および外部基本装置２００のアンテナ配列１６２，２２２のための磁気コアは、たとえば、Ｃコア、Ｕコア、Ｅコア、ＥＲコア、ＥＦＤコア、リングコア、ＥＰコアまたはＲＭコアとしても実装される。
【００２９】
外部基本装置２００のコイル配列２２２に対する携帯用装置１００のコイル配列１６２の結合係数は、各々に関して、それぞれの距離および２つのアンテナコイルの配置（たとえば、角オフセット）に依存する。このように、高い結合係数のために、アンテナ配列１６２および２２２のコイルの平行および同軸に可能な限り隣接することが、選択される。次に、携帯用電子装置１００のエネルギー供給手段１６０のアンテナ配列またはコイルアンテナ１６２に誘導される電圧は、たとえば、制御回路１６２におけるその調整後、チャージ手段１６６に供給される。ここで、チャージ手段は、たとえば、充電可能なバッテリまたは充電可能なコンデンサストレージ１６８の形式において、充電可能な蓄電素子１６８をチャージさせるように実装され、そして、それは、バックアップキャパシタまたはブリッジあるいは短期のエネルギーストレージとして効果的である。その問題は別として、制御回路１６４は、エネルギー供給手段１６０の出力信号として光学双方向性データ送信手段１４０および機能手段１２０にエネルギーを、さらに供給するように実装されうる。任意に、そのエネルギー供給のために、チャージ手段１６６は、直接的にアンテナ配列１６２に接続されうる。ここで、アンテナ配列１６２またはチャージ手段１６６にどちらにおいても、アンテナに誘導される電圧の要求されたレンダリングが実行される。
【００３０】
このように、携帯用電子装置１００が、外部基本装置２００に接続される場合に、その状態において、制御回路１６４は、外部磁場から取得されるエネルギーＥに基づくそれぞれの動作のために必要なエネルギーを携帯用電子装置１００の機能グループに供給するように、特に、実装される。次に、携帯用電子装置１００は、外部基本装置２００から切断された場合、すなわち、より大きな距離（効果的な接続範囲の外側）での制御回路１６４は、携帯用電子装置１００の機能グループを供給するためにチャージされた電荷蓄積素子１６８からエネルギーを抽出する。
【００３１】
次に、特に、（たとえば、制御回路１６４の一部として）エネルギー供給手段１６０は、外部装置１２０とともに、（光学インタフェース１４２から独立して）データ交換を実行するように実装される外部通信手段１７０を含む。ここで、データ交換は、たとえば、基本装置２００から携帯用電子装置１００へのエネルギー変換に付随するデータに基づく。さらに、たとえば、オプションの（より高水準の）処理手段１２２は、通信手段１７０のこの機能を取り入れることができる。ここで、たとえば、磁場を生成する基本装置２００のためのチャージ状態情報、エネルギー必要情報または他の制御情報が、それに伝送されうる。このように、充電可能な電荷蓄積素子１６８のチャージ状態をテストするために、伝送データは、携帯用電子装置１００における十分かまたは不十分な供給における情報、さらに、装置情報、状態情報、動作情報、干渉／エラーメッセージ（たとえば、低レベル表示）および対応するデータを含みうる。さらに、たとえば、オプションの（より高水準の）処理手段１２２は、機能手段１２０、光学双方向性データ送信手段１４０および／またはエネルギー供給手段１６０の機能の調整および／または制御を取り入れうる。
【００３２】
次に、図１ｂにおいて示されるように、エネルギー提供手段２２０は、アンテナ配列２２２および制御回路２２４を含む。アンテナ配列２２２は、たとえば、コイルコアを有するかあるいは有さないｍ個の巻き数を、たとえば有するアンテナとして、アンテナコイルを含む。制御回路２２４は、たとえば、放射される磁場のキャリア周波数ｆ0を生成するための駆動回路を含む。エネルギー提供手段２２０は、さらに、任意に、基本通信手段２２６を含む。そして、それは、たとえば、携帯用電子装置１００のエネルギー供給手段１６０に比較的低いデータレートを有するデータを伝送するように実装される。基本通信手段２２６は、たとえば、制御回路２２４に関して、内部にまたは外部に配置され、そして、さらに、たとえば、光学双方向性通信手段２１４のような他のインタフェースから独立している携帯用電子装置のエネルギー提供手段１６０とともに、外部基本装置２００によって提供するエネルギーに関して、直接的にデータを交換するように実装される。さらに、たとえば、オプションの（より高水準の）処理手段２６０は、基本通信手段２２６のこの機能を引き継ぎうる。ここで、たとえば、基本通信手段２２６は、伝送のために、磁場（または電磁場）のオン／オフの切り替え、提供された磁場の強さの設定等を読み込むデータに関する情報を提供しうる。
【００３３】
このように、オプションの基本通信手段２２６（または、オプションのより高水準の処理手段２６０）は、携帯用電子装置１００とともに、基本装置２００から携帯用電子装置１００へのエネルギー送信に関連したデータのデータ変換を実行するように実装される。次に、光学双方向性データ通信手段２４０は、送信／受信ユニット（光学トランシーバ）２４２ならびに相互接続された送信／受信制御および評価回路２４４を含む光学データインタフェースとして実装される。たとえば、制御回路２４４は、変調器、復調器、時計およびデータ回復手段（ＣＤＲ）、ならびに基地局または周辺装置３００に接続するためのオプションの入出力インタフェースを有する前工程の回路を含む。上記機能は、オプションの（より高水準の）処理手段２６０によっても実行されうる。このように、たとえば、携帯電話、スマートフォン、ノートパソコン等、あるいはカメラのような携帯用のマルチメディア使用可能な端末装置１００は、外部基本装置２００を介して周辺装置３００であるコンピュータに接続されうる。同様に、もちろん、コンピュータ、ノートパソコン等が、導体のないエネルギー供給およびデータ通信のためにいかなる携帯用端末装置に接続するために、本発明の外部基本装置２００を備えることも可能である。
【００３４】
本発明によれば、携帯用電子装置１００のエネルギー供給のための磁場（または電磁場）は、外部基本装置２００またはそのエネルギー提供手段２２０によって提供される。エネルギー提供手段２２０によって提供される磁場のための送信またはキャリア周波数ｆ0は、たとえば、約１０ＫＨｚから２０ＫＨｚまでの範囲である。ここで、外部基本装置２００から携帯用電子装置１００までのエネルギー送信は、携帯用装置１００のエネルギー供給手段１６０および外部基本装置２００のエネルギー提供手段２２０の（変圧器コイルとして効果的な）２つのアンテナ配列１６２または２４２の間の電磁結合によって実行されうる。このように、たとえば、コイル配列として実装される外部基本装置２００のアンテナ配列２４２は、コイル配列として実装される携帯用電子装置１００のアンテナ配列１６２における交流電圧を誘導するそれぞれの伝送周波数ｆ0を有する交番磁界を生成する。
【００３５】
以下に例示されるように、この誘導される電圧は、携帯用装置１００の制御回路１６０において調整されて、エネルギー供給のためのエネルギー供給手段１６０によって携帯用電子装置１００の異なる機能および機能素子に提供されるか、または携帯用電子装置１００のためのエネルギー供給として提供する。アンテナ配列１６４に接続される携帯用装置１００の制御回路１６４において、一般的に、周波数が外部基本装置２００のエネルギー提供手段２２０の送信周波数に設定される発振回路が置かれる。共振の場合には、アンテナ配列１６２において誘導される電圧は、外部基本装置２００から携帯用電子装置１００へのエネルギー送信の効率の増加にいたる共振帯域の外側での周波数と比較して、実質的に増加する。それらの共振周波数を伝送周波数と合わせることによる携帯用装置１００および外部基本装置２００のアンテナ配列１６２，２４２の間のエネルギー送信の効率の増加は、生成される待機電力を最小化し、携帯用電子端末１００のエネルギー供給手段１６０におけるいわゆる電圧過剰が得られる。コイルまたはコンデンサ全体の電圧が、全体の電圧よりも高い電圧を得る場合、これは電圧過剰である。
【００３６】
電圧過剰の効果は、たとえば直列発振回路で起こる。ここで、コイルおよびコンデンサにおいて、同じ電流は、直列接続のため流れる。ここで、しかしながら、正弦波電圧は、すべてのπにおけるすべての位相シフトを示す。同じことが、π／２のコイルの位相シフトからマイナス−π／２のコンデンサでの位相シフトに集約される。この効果は、完全な電圧を予め設定すること、そして、一つの全体の電圧をエネルギーストレージから取り出すことによって利用されうる。電圧を算出するために、回路は、複合の分圧器として考慮されうる。電圧過剰は、共振において最も高く、この場合、直列発振回路の品質因子に比例する。このように、共振を有する品質Ｑの直列発振回路およびＵボルトの入力電圧とともに、（Ｑ×Ｕ）ボルトの電圧過剰は、コンデンサまたはコイルにおける結果として得られる。
【００３７】
コイルおよび外部基本装置２００として実装される携帯用装置１００の２つのアンテナ配列１６２および２４２の間の結合係数の問題とは別に、それは、たとえば、（大まかな結合変圧器として）２つのアンテナ配列１６２および２４２の距離および配列から結果として得られ、携帯用装置１００のアンテナ配列１６２における誘導電圧およびこのような結果として生じる効率は、携帯用装置１００のアンテナ配列１６２の巻き数を外部基本装置２００の所与の送信周波数ｆ0に適応するように、さらに増加しうるかまたは最大にされうる。外部基本装置２００の放射された磁場の磁界の強さが維持される場合、外部基本装置２００の送信周波数ｆ0の増加とともに、コイルのより少ない巻き数は、携帯用電子装置のエネルギー供給手段１６０のアンテナ配列１６２における要求されて誘導電圧を得るために、携帯用装置１００のアンテナ配列１６２において必要である点に、ここで、留意されたい。
【００３８】
これに関連して、磁場の磁界の強さの距離に関連して減少する経過が、外部基本装置２００のエネルギー提供手段２２０の出力電力、送信周波数ｆ0および携帯用電子装置１００のエネルギー提供手段１６０のコイルとして実装されるアンテナ配列１６２の直径に依存することに注意されたい。ここで、生成された磁場（電磁場）の磁界の強さは、距離の三分の一の電力（有効性）におよそ比例するいわゆる近距離場、および、距離に直接的におよそ比例するいわゆる遠距離場の特定の範囲の中で減少させる。近距離の限界は、数学的に決定され、そして、送信周波数に反比例する。電磁結合が、近距離においてのみ機能する場合、このように、外部基本装置２００および携帯用電子装置１００との間の最大範囲に対して理論的な制限を提示する。携帯用電子装置１００が、外部基本装置２００の上にまたはおいて位置する場合、非常に高い電磁結合が得られうる。
【００３９】
可能ならば、携帯用電子装置１００は、（出来るだけ、密接に隣接で、平行で、かつ同軸であるアンテナ配列１６２および２２２のコイルの配列を得るために）本発明によると、外部基本装置２００の上に直接的に位置するか、または、導体のないエネルギーおよびデータ送信のためにそれにおいて配置されるとき、本発明によれば、非常に高いか最大結合度が、２つの装置（外部基本装置２００および携帯用電子装置１００）の間において保証される。次に、たとえば、携帯用電子装置１００および外部基本装置２００のアンテナの配列１６２または２２２が、外壁、すなわち、外側、内側またはそれぞれの外壁の範囲内において配置されるとき、たとえば、１ｃｍ（または少なくとも２ｃｍまたは５ｃｍ未満において）より小さいアンテナ配列１６２およびアンテナ配列２２２の隣接したコイルが得られうる。携帯用電子装置１００および外部基本装置２００の隣接し、平行したアンテナ配列１６２および２２２の距離は、たとえば、隣接したアンテナ配列１６２または２２２のコイルが位置する平行面の間の距離である。
【００４０】
可能な限り、（オプションの）データ交換は、携帯用電子装置１００のエネルギー供給手段１６０および外部装置２００のエネルギー提供手段２２０の間に既に例示され、すなわち、たとえば、エネルギー送信に関してデータを交換するために、基本的に、いかなる送信タイプまたは変調タイプが使用されうる。
【００４１】
このように、たとえば、外部基本装置２００のエネルギー提供手段２２０の通信手段２２６から携帯用電子装置１００のエネルギー供給手段１６０の通信ユニット１７０へのデータ送信またはデータ変換のために、基本的に、送信信号のいかなる変調タイプも、すなわち、エネルギー提供手段２２０によって提供される磁場の中で使用されうる。
【００４２】
次に、携帯用電子装置１００のエネルギー供給手段１６０から外部基本装置２００のエネルギー提供手段２２０への（限られたデータレートを有する）データ送信は、たとえば、ロード変調によって実行される。たとえば、ここで、エネルギー供給手段１６０からエネルギー提供手段２２０へ伝送されるデータは、アンテナ配列１６２において負荷抵抗をオンおよびオフに切り替えるデジタル信号として符号化される。ここで、抵抗の変化は、小さい電圧の変化の形式で外部基本装置のエネルギー提供手段２２０によって検知されるエネルギー供給手段１６０のアンテナ配列１６２の反誘導性を変える。このようにして、上方へ変調される携帯用電子装置１００のエネルギー供給手段１６０のデータは、たとえば、この送信されるデータに基づくエネルギー必要量に応じてエネルギー送信を携帯用外部装置１００に設定するために、外部基本装置２００のエネルギー提供手段２２０の通信手段２２２によって復調され、復号され、さらに処理される。このように、たとえば、エネルギー提供手段２２０によって提供される磁場の必要磁界の強さは、携帯用電子装置１００の必要量に応じて設定されうる。
【００４３】
外部基本装置２００から携帯用電子装置１００へのエネルギー送信に関するデータを変換するための上述したロード変調の問題とは別に、変調のいかなる他のタイプ、たとえば、振幅偏移変調（ＡＳＫ：ａｍｐｌｉｔｕｄｅ  ｓｈｉｆｔ  ｋｅｙｉｎｇ），周波数偏移変調（ＦＳＫ：ｆｒｅｑｕｅｎｃｙ  ｓｈｉｆｔ  ｋｙｅｉｎｇ），位相偏移変調（ＰＳＫ：ｐｈａｓｅ  ｓｈｉｆｔ  ｋｅｙｉｎｇ）および直角位相振幅変調（ＱＡＭ：ｑｕａｄｒａｔｕｒｅ  ａｍｐｌｉｔｕｄｅ  ｍｏｄｕｌａｔｉｏｎ）が、利用されうる。ここで、たとえば、外部基本装置２００によって生成されるキャリア信号、すなわち、伝送周波数で生成される磁場（電磁場）は、携帯用電子装置１００のエネルギー供給手段１６０において、１／１でミックスされ、変調器において、外部基本装置２００へ送信されるデータ信号は、上へ変調される。変調されたデータ信号は、それから、外部基本装置２００によって生成された連続的なキャリア信号に並列に送信される。この場合、ロード変調によるデータ送信は、半二重方法においてのみ行われうることに留意されたい。２次側に、携帯用電子装置１００（すなわち、通信ユニット１７０）は、たとえば、半二重方法またはモードにおいて、外部基本装置２００への低いデータレートを有するデータ送信のための付加的な磁場または電磁場を能動的に生成しうる。
【００４４】
以下に、携帯用電子装置１００のエネルギー供給手段１６０および外部基本装置２００のエネルギー提供装置２２０の間のデータ交換のためのいくらかのありうる実施が例示される。
【００４５】
さらに、図１ａ−ｂにおいて例示されるように、導体のないエネルギーおよびデータ送信のための外部基本装置２００は、さらに、携帯用電子装置１００とともに、導体のない光学のデータ通信のための光学双方向性データ通信手段２４０を含む。対応するものとして、携帯用電子装置１００は、そこに、光学双方向性データ送信手段１４０を含む。ここで、携帯用電子装置１００の光学双方向性データ送信手段１４０および外部基本装置２００の光学双方向性データ通信手段２４０のそれぞれの実施の形態は、導体のない光学データ送信（双方向性の）を構築するために、すなわち、携帯用電子装置１００と外部基本装置２００との間の全二重通信において、１つまたはいくつかの光学インタフェースエレメント１４２または２４２を含む。光学通信技術を用いて、携帯用電子装置１００と外部基本装置２００との間の高いデータレートは、たとえば、ギガビット／ｓの範囲において提供されうる。
【００４６】
特に、異なる振幅変調動作が、光学インタフェースエレメント１４２および２４２（２−ＡＳＫ，４−ＡＳＫ…）、直角位相振幅変調（ＱＡＭ：ｑｕａｄｒａｔｕｒｅ  ａｍｐｌｉｔｕｄｅ  ｍｏｄｕｌａｔｉｏｎ）または離散マルチトーン法（ＤＭＴ法：ｄｉｓｃｒｅｅｔ  ｍｕｌｔｉ  ｔｏｎｅ  ｔｒａｎｓｍｉｓｓｉｏｎ  ｍｅｔｈｏｄ）の間の光学データ送信のために使用されうる。加えて、たとえば、前方誤り訂正法（ＦＥＣ法：ｆｏｒｗａｒｄ−ｅｒｒｏｒ  ｃｏｒｒｅｃｔｉｏｎ  ｍｅｔｈｏｄ）が使用されうる。ここで、アプリケーションのケースに応じて、半および／または全二重接続が構築されうる。たとえば、データ送信の効率は、レシーバの付加的な個々の確認なしに、（相対的に）大きなデータブロックを送信することによって増加されうる。このように、たとえば、６４ＫＢのフレームサイズをともなうデータ送信が得られうる。さらに、確認が、レシーバから各送信器まで送り返される前に、次々と、比較的高い数のフレーム（たとえば、１２７フレーム）を送信することが可能である。このように、プロトコルのオーバーヘッドの効果的な減少が得られうる。
【００４７】
プロトコルのオーバーヘッドの減少によって、たとえば、携帯用電子装置１００と外部基本装置２００との間の光学データ送信を有する正味のデータレートは、全体のデータレートの９０％以上に増加しうる。それによって、極めて高いデータ効率を有する極めて効率的なデータ送信が構築されうる。
【００４８】
特に、光学の双方向性の通信のため、非常に安全なデータ通信は、特に、光学送信基準に関して存在しない規則のため世界的に利用され、そして、特に、電磁気のインタフェースまたは妨害源（ＥＭＶ）から独立している外部の干渉に関して構築されうる。光学データ接続に関する国際的な統制が考慮されないので、本発明の携帯用電子装置１００および外部基本装置２００も、各国ごとの適応なしで、世界的な市場のために設計されうる。
【００４９】
光学データ送信は、導体のないエネルギーおよびデータ接続のために提供される本発明の携帯用電子装置１００および外部基本装置２００に関して、「視覚の接続」に基づくとき、技術的に比較的単純な方法で、これら２つの装置のより高い安全なデータ接続が構築されうる。加えて、ＲＦベースの方法と比較して、比較的小さいスペースを有する複数の並列した光学インタフェースエレメントを実装し、各々に完全な帯域幅または全て利用可能な帯域幅の組み合わせを利用することが可能である。このように、たとえば、いくつかのチャンネルの並列処理とともに、半二重および全二重モードの両方において、本発明の携帯用電子装置１００を外部基本装置２００に接続する場合、光ファイバネットワークにおけるデータレートに対応する、いくつかのギガビット／ｓの非常に高いデータレートが得られうる。レシーバ・ダイオードの波長帯域における感度は、非常に高く、可視光と比較して、周囲のノイズまたは干渉が比較的低いとき、たとえば、携帯用電子装置１００および外部基本装置２００のそれぞれのインタフェースエレメント１４２または２４２の間の光学データ送信は、（８５０ｎｍから９００ｎｍの波長を有する）赤外領域において実行されうる。もちろん、可視光の波長領域における光学インタフェースのための波長も、使用されうる。この点で、携帯用電子装置１００を外部基本装置２００に接続する場合、たとえば、携帯用電子装置１００および／または外部基本装置２００に、寄生環境の光または散乱光が、光学インタフェースエレメント１４２，２４２に影響を及ぼすそれを、確認することを、寄生光に対する投射のための構造手段が適用されうる。
【００５０】
携帯用電子装置１００および／または外部基本装置２００の光学インタフェースエレメント１４２または２４２が、付随する装置の外壁と各々同一平面上であるとき、携帯用電子装置１００と外部基本装置２００（を接続する場合）の光学インタフェース１４２または２４２は、対立し、そして、直接隣接する装置に持ち込まれうる。任意には、たとえば、光学接続および切断エレメント、または透過的な保護エレメントが、提供されうる。そして、それが、携帯用電子装置１００および／または外部基本装置２００のそれぞれの外壁との関係を提供する。このように、携帯用電子装置を外部基本装置２００に接続する場合、それぞれの光学インタフェースエレメント１４２または２４２は、お互いに隣接して直接配置されうる。
【００５１】
携帯用電子装置１００の光学インタフェースエレメント１４２および／または外部基本装置２００の光学インタフェースエレメント２４２は、たとえば、すなわち、外壁に対応するオフセットを含む付随する装置の外壁とともに同一平面上でないならば、携帯用電子装置１００と外部基本装置２００が接続される場合、次に、光学インタフェースエレメント１４２および２４２は、ただし、少なくとも、１ｃｍ未満（または、少なくとも２もしくは５ｃｍ未満）の距離において、各々の反対側に配置される。距離は、外壁に関して、インタフェースエレメント１４２または２４２のそれぞれのオフセットから結果として得られる。このように、比較的単純な方法で、装置１００および２００の間の高い安全なデータ接続が構築されうる。
【００５２】
以下において例示される図に関して、次に、さらに、代替案またはオプションの実施の形態、および携帯用電子装置１００および本発明の外部基本装置２００の機能エレメントまたは機能ユニット、ならびにそれらの機能が例示される。
【００５３】
概略図において、図２ａ−ｂが、たとえば、付随する機能ユニットとともに、携帯用マルチメディアの能力がある端末装置１００のような本発明の携帯用装置を示す。
【００５４】
図２ａにおいて例示されるように、携帯用端末装置１００は、この場合も、電子機器の機能を提供するための機能手段１２０、光学双方向性データ送信手段１４０およびエネルギー供給手段１６０を含む。携帯用のマルチメディア能力がある端末装置とともに、機能手段１２０は、オペレータのために、アプリケーションまたはサービスを処理し、実行し、および／または提供するように実装されうる。特に、機能手段１２０は、オペレータとのやりとりのためにインタフェースと同様に、１つまたはいくつかの更なる入出力インタフェース（Ｉ／Ｏ＝Ｉｎｐｕｔ／Ｏｕｔｐｕｔ）を任意に一体にすることができる。この点において、たとえば、タッチパネル（タッチスクリーン）、キーボード、マウスまたは他の入力補助が使用されうる。データ送信制御手段１４４および光学インタフェースエレメント１４２を有するデータ送信手段１４０は、外部基本装置２００に接続する光学データを構築するために提供される。
【００５５】
さらに、図２ａにおいて例示されるように、エネルギー供給手段１６０は、制御回路１６４に接続され、そして、電荷蓄積素子１６８のためのチャージ手段１６６に任意に直接接続されるアンテナ配列１６２を含む。もちろん、バッテリチャージ処理が、制御回路１６４から実行されるように、チャージ手段１６６が制御回路１６４に一体にされることは、同様に可能である。
【００５６】
図２ｂは、たとえば、携帯用のマルチメディア能力がある端末装置１００の形式において、本発明の携帯用電子装置の機能ユニットの概要を示す。たとえば、本発明の実施の形態による外部基本装置２００とともに、導体のない光学のデータ通信のための光学双方向性データ送信手段１４０は、コイルとして実装されるアンテナ配列１６２を含む。次に、制御回路１６４は、たとえば、外部基本装置２００によって提供される磁場の送信周波数ｆ0を含むアンテナ配列１６２において誘導される電圧を調整するための整流器１６３を含む。整流器によって提供される直流電圧は、（必要であれば）電荷蓄積素子１６８、すなわち、たとえば、充電可能なバッテリまたはアキュムレータのチャージするために、チャージ回路１６６によって使用される。
【００５７】
次に、変調器および／または復調器の装置１６５が、さらに、アンテナによって検知される入力信号、たとえば、外部基本装置２００のエネルギー提供手段２２０から送信される制御情報から、データを復調するために、およびそれを、制御ユニット１７０もしくは通信手段１６４または（オプションの）より高いレベルの処理手段１２２に提供されるように、提供される。次に、制御ユニット１７０または通信手段１６４は、この場合も、（基本装置２００から携帯用電子装置１００へのエネルギー送信に関して）データまたは制御情報を生成するための充電可能なバッテリ１６８のバッテリ状態もしくはチャージ状態、または、完全な携帯用電子装置１００のエネルギー必要量に基づく。次に、変調手段は、外部基本装置２００のエネルギー提供手段２２０にこのデータまたは制御情報を送信するために、さらに、データ供給手段１６０の送信されるデータを変調するために、およびオプションの制御回路（図２ｂに図示せず）を介して、アンテナを制御するために提供される。外部基本装置１００の接続が、（外部基本装置２００のサポートなく）充電可能なバッテリ１６８からの中断なしに完全に携帯用電子装置１００のエネルギー供給するために切断されるならば、携帯用電子装置１００の一体化される供給手段１６０は、外部の基地局に接続される状態の間、エネルギーを有する携帯用電子装置１００の全ての機能エレメントまたは集合を供給するように提供される。
【００５８】
本発明の携帯用電子装置１００の光学双方向性データ送信手段１４０は、たとえば、光学インタフェースエレメントまたは光学送信／受信ダイオードの形式で存在する、たとえば、光学トランシーバ１４２を含む。用語トランシーバは、外部基本装置２００の光学双方向性データ通信手段２４０とともに双方向性データ通信を指示するだろう。
【００５９】
さらに、変調／復調手段１４３は、光学トランシーバ１４２から受信された信号を復調し、および変調信号またはベースバンド信号、すなわち、受信された送信信号を回復するための光学トランシーバ１４２に付随している。これとは別に、たとえば、光学双方向性データ送信手段１４０は、受信される信号から外部基本装置２００の送信器２４０の送信クロックｆ0を決定するために、ＣＤＲ（Ｃｌｏｃｋ／Ｄａｔａ  Ｒｅｃｏｖｅｒｙ）手段またはクロック修復手段を含み、このように、受信信号の正確なサンプリングを可能にする。時間的に正確を必要とされるクロック修復は、すなわち、反対方向に戻って送信される信号を同期させるために、配置される。クロック修復は、受信されたデータストリームの周期的なサンプリング時間を決定するためにレシーバ側において必要である。この時間的に正確な配列は、正確なデジタル受信信号を評価して、受信信号の回復においてあまりに高いビットエラーの数を提示することを可能とするために必要である。
【００６０】
任意には、次に、さらに、Ｉ／Ｏインタフェース（Ｉ／Ｏ＝入力／出力インタフェース）は、たとえば、ユーザ・インタフェースにおいて、外部基本装置２００から得られるデータを表すか、または、機能手段１２０のアプリケーションまたはサービスを実行するか、またはデータをそれに供給するか、または外部基本装置２００等に携帯用電子装置１００において生成されるデータを送信するために、提供されうる。
【００６１】
以下において、次に、図３ａ−ｃに関して、携帯用データ記憶装置の形式で、携帯用電子装置１００が説明され、ここで、機能手段１２０は、電子機器の機能としてデータを格納し、要求に応じて、再び、格納されたデータを提供するための大容量記憶素子または非揮発性メモリを含む。
【００６２】
繰り返しを避けるために、既に上述され、そして、携帯用データ記憶装置１００のために同様に使用されうる携帯用電子装置１００の機能エレメントおよび機能ユニットは、再度説明されない。
【００６３】
図３ａにおいて例示されるように、このように、携帯用データ記憶装置１００は、データを格納するため、および要求に応じて格納されたデータを提供するための機能手段１２０として大容量記憶素子を含む。光学双方向性データ送信手段１４０は、上記の例示の実施の形態により実装される。
【００６４】
携帯用データ記憶装置データ１００のためのエネルギー供給手段１６０は、携帯用データ記憶装置１００のために、格納し、データを提供するための要求に応じて、外部基本装置２００に接続する間のみ提供される携帯用データ記憶装置１００として、充電式電池が必要ない、という点において、上記に例示される実施の形態とは異なる。このように、たとえば、携帯用データ記憶装置データ１００のエネルギー供給手段１６０は、外部基本装置２００に接続される間のみエネルギーとともにそれを供給するように実装され、この期間の間のみ、外部基本装置２００またはそれに接続される周辺機器３００（図１ｂを参照）とともに、データ変換が必要である。
【００６５】
以下において、次に、図３ｂに関して、携帯用データ記憶装置１００の考えられる機能ユニットが例示される。図３ｂにおいて、例として例示されるように、携帯用データ記憶装置は、エネルギー回収のためのユニット（すなわち、エネルギー供給手段１６０）、（光学双方向性データ送信手段１４０の形式における）光学データ送信ユニット、およびデータを格納するための記憶素子の形式における機能ブロックを含む。記憶素子として、たとえば、フラッシュメモリのような不揮発性記憶素子、ハードディスク、ＳＳＤ（Ｓｏｌｉｄ  Ｓｔａｔｅ  Ｄｉｓｋ）ハードディスク、付随されるコントローラ回路を有するＮＶＲＡＭが可能である。
【００６６】
図３ｂにおいて例示される携帯用データ記憶装置１００の機能設定に関して、これまでに例示される実施の形態に関して、機能手段１２０は、不揮発性データ記憶装置として実装されず、外部基本装置２００からそれを（故意ではなく）取り除く場合、充電可能なバッテリの代わりに、たとえば、携帯用データ記憶装置をレストの定義された状態に持っていく機能をもたらすことになっている（支持コンデンサ）、ブリッジングまたは短い時間のエネルギーストレージの形式における充電可能なコンデンサストレージが、提供されることについて、本発明の実施の形態により明らかになる。したがって、チャージ回路１６０は、バッファコンデンサを定義済みのチャージ状態にもたらす。その結果、広範囲の機能が充電可能なバッテリストレージのチャージ処理の制御に関して提供されるということではない。それは、支持コンデンサ１６８にエネルギーを供給することを必要とするだけである。
【００６７】
外部基本装置２００への接続は、たとえば、ストレージエリアにデータの書き込みプロセスを終了するために、または、ハードディスクを使用する場合は、書き込み／読み込みヘッドを決められた休止位置に持っていくために、意図的にまたは意図的でなく終了された後、次に、バッファコンデンサは、十分に長い期間にエネルギーを有する携帯用データ記憶装置１００にさえ供給するために、十分に大きく実装されるべきである。特に、支持コンデンサは、短時間の電圧変化を有するエネルギー供給のブリッジまたは接続された外部基本装置２００からのエネルギー供給の中断を構築するために提供される。
【００６８】
図３ｃにおいて例として例示するように、本発明の携帯用データ記憶装置１００とともに、さらにＩ／Ｏコントローラ１３０が、外部基本装置２００もしくは周辺装置３００、または基本装置に接続されるそのオペレーティングシステムのための複数の可能なデータ送信プロトコルの一つをエミュレートする光学双方向性データ送信手段１４０およびメモリ素子１２０との間に提供される。このように、光学双方向性データ送信手段１４０およびメモリブロック１２０の間において、さらなる機能ブロックとして、Ｉ／Ｏコントローラ１３０は一体化される。そして、それは、たとえば、ワイヤバウンド（ＵＳＢ，イーサネット（登録商標）、ファイヤーワイヤー（登録商標）、ＳＡＴＡ（Ｓｅｒｉａｌ  ＡＴＡ）、ｅＳＡＴＡ（ｅｘｔｅｒｎａｌ  Ｓｅｒｉａｌ  ＡＴＡ））、またはワイヤレス（ＷＬＡＮ，ワイヤレスＵＳＢ，Ｂｌｕｅｔｏｏｔｈ（登録商標））プロトコルをエミュレートする。このことにより、携帯用データ記憶装置は、たとえば、それに接続される外部基本装置２００または周辺装置３００のオペレーティングシステムにおいてストレージ媒体として、既存のより高水準のプロトコル層を介して、より容易に検知され、または一体化される。次に、光学双方向性データ送信手段１４０は、メモリブロックの読み取りであるか、またはそれをサイズに提供するデータを使用して信号レートを適応させ、そして、ストレージ媒体の速度に書き込むために実装されうる。これとは別の問題として、携帯用データ記憶装置１００は、任意に、たとえば、ＬＥＤ、ディスプレイ、フィラーまたはキーボード等のオペレータを有する相互作用のためのＩ／Ｏインタフェースを含む。
【００６９】
このように、携帯用電子装置１００は、たとえば、完全にプラグのないデータ記憶装置、メモリスティックまたは携帯用のプラグのないハードディスクの機能を提供しうる。このように、この種の携帯用データ記憶装置１００は、接続、または集積エリアにおいて、外部基本装置２００において単に脇に置かれうる。ここで、この点で、たとえば、機械または磁気固定が提供されうる。外部基本装置２００からワイヤレスエネルギー送信を介して、携帯用データ記憶装置１００が、動作中のオペレーションのためのエネルギーを供給される。光学双方向性データ送信手段１４０を介した光学の高速データ送信が、データの伝送（読み取り／書き込み）のために使用される。
【００７０】
他の例示される実施の形態のように、誘導的なエネルギー生成、すなわち、エネルギー供給手段１４０のためのユニットは、電圧の安定化のためのコイルコア、整流器、および回路の有無に関わらないコイル、すなわち、アンテナコイルとして実装されるアンテナ配列１６２を含む。任意には、さらに、付加的な通信ユニット１６４または１７０が、配置され、または一体化される。そして、それは、たとえば、基本装置２００から携帯用データ記憶装置１００へのエネルギー送信に関して、制御情報を外部基本装置２００へ送信するために、携帯用データ記憶装置１００および外部基本装置２００の間を接続する電磁場を利用する。たとえば、外部基本装置２００へ送信される制御信号は、十分な供給電圧が、携帯用データ記憶装置において取得されるかどうか、または、携帯用データ記憶装置が、全てで作動中であるかどうかを、外部基地局によって提供される磁場が、オンオフを切り替えられるという事実に関連づける。
【００７１】
以下において、次に、図４ａ−ｃに関して、携帯用電子装置１００に対する導体のないエネルギーおよびデータ送信のための本発明の基本装置１００の機能ユニットに対するさらなる実施の形態およびオプションの代替手段が例示される。
【００７２】
図４ａにおいて例示されるように、外部基本装置２００は、生成された磁場から電磁結合し、そして、光学双方向性データ通信手段２４０に電磁結合することによって携帯用電子装置１００のエネルギー供給のための磁場を生成するためのエネルギー提供手段２２０を含む。特に、外部基本装置１００は、携帯用のマルチメディア能力がある端末装置のためのいわゆるドッキング・ステーションとして、または、携帯用データ記憶装置のための読み込み／書き込みステーションとして、使用されうる。
【００７３】
図４ｂにおいて例示されるように、たとえば、エネルギー提供手段２２０は、アンテナ２２２、駆動回路２２５、変調器／復調器２２７および制御ユニット２２９を含む。この場合もまた、たとえば、外部基本装置２００の光学双方向性データ通信手段２４０は、光学トランシーバ２４２、変調器／復調器２４５、ＣＤＲ回路２４７および任意に、Ｉ／Ｏインタフェース２４９を含む。
【００７４】
次に、ワイヤレスチャージ装置２２０は、コイルコアの有無にかかわらないアンテナコイルの形式におけるアンテナ配列２２２、キャリア周波数ｆ0の生成のための駆動回路２２５、および携帯用電子装置１００のエネルギー供給に関して、制御情報を送信するための（制御ユニット２２９を有する）任意に、通信システム２２４を含む。エネルギー提供手段において任意に実装される通信システム２２４は、光学インタフェース２４２の独立している携帯用電子装置１００におけるエネルギー供給手段（チャージ回路）と直接データ交換をする。ここで、たとえば、データは、携帯用電子装置１００における提供される磁場の切り替えのオン／オフ、チャージ状態の試験または十分な供給電圧に関する。
【００７５】
変調／復調手段２４５は、光学トランシーバ２４２から受信される信号を復調するため、およびベースバンド信号、すなわち、受信される送信信号を回復するための光学トランシーバ２４２を付随する。これとは別の問題として、たとえば、光学双方向性データ送信手段２４０は、受信される信号から携帯用電子装置１００のトランスミッター１６０の送信クロックｆ0を決定するためのＣＤＲ（Ｃｌｏｃｋ／Ｄａｔａ  Ｒｅｃｏｖｅｒｙ）手段、またはクロック修復手段２４７を含む。
【００７６】
次に、外部基本装置２００は、たとえば、オプションの周辺装置２００に接続されうる。あるいは、外部基本装置２００それ自身は、周辺装置、たとえば、パソコン（ＰＣ：Ｐｅｒｓｏｎａｌ  Ｃｏｍｐｕｔｅｒ）またはノートパソコンの一部でもありうる。たとえば、ドッキング・ステーション、または読み取り／書き込みステーションとして実装される外部基本装置２００は、このように、光学双方向性データ通信手段２４０の形式における光学データインタフェースと同様にエネルギー提供手段２２０の形式におけるワイヤレスチャージ装置を含む。加えて、外部基本装置２００において、携帯用電子装置１００の機械的または磁気固定のための装置は、外部基本装置２００および携帯用電子装置１００の間の導体のないエネルギーおよびデータ送信のための安全な接続が可能であることによって一体化され、または提供される。たとえば、２つのアンテナ配列１６２または２２２の最適な磁場接続、およびさらにお互いに関して携帯用電子装置１００および外部基本装置２００の２つの光学インタフェース１４２または２４２のできるだけ最適な接続が可能であるように、携帯用電子装置が、外部基本装置における（たとえば、交換することから安全な）所定の位置に配置または固定されうるように、次に、固定手段が実装される。
【００７７】
さらに、特定の機械的負荷とともに、携帯用電子装置１００と外部基本装置２００との間のオフセットが生じないように、そして、２つの装置の間で効果的なおよび安全な導体のないエネルギーおよびデータ送信がさらに保証され、２つの装置の間でエネルギーおよび／またはデータ送信の妨害に至らないように、固定手段は、たとえば、振動、わずかな衝撃等の（限られた）機械的影響を減衰しまたは受信するために実装されうる。
【００７８】
このように、携帯用電子装置１００とともに、導体のない光学データ送信のための光学双方向性データ送信２４０は、光学トランシーバ２４２、変調器／復調器２４５を有する前工程の回路、クロックおよびデータ修復２４７（ＣＤＲ）および、任意に周辺装置３００に接続するためのＩ／Ｏインタフェース２４９を含む。このように、たとえば、典型的には、本発明の基本装置の応用分野は、コンピュータに携帯電話またはカメラの接続に相当する。
【００７９】
ここで、機能ユニットは、この場合もまた、異なる実施の形態に関して上記の機能を実行する。
【００８０】
図４ｃにおいて例示されるように、外部基本装置２００が、ポート・リブリケータの機能をサポートし、または提供しうる。ポート・リブリケータが配置され、ここで、さらに端末またはインタフェースが別に提供される。その結果、外部基本装置２００の１つの出力において、さらに異なる周辺装置３００−ｎが、接続され、一方切断される。このように、たとえば、さらなる周辺装置として、コンピュータのマウス、プリンタ、ＵＳＢポート、モニタ、さらなる外部ハードディスク、スキャナ、さらなるＩ／Ｏインタフェース、キーボード等が接続される。本発明の外部基本装置２００がポート・リブリケータの機能性をサポートするか、または提供する場合、たとえば、ノートパソコンまたは携帯電話（スマートフォンまたはいくつかの携帯用のマルチメディア能力がある端末装置）が、たとえば、キーボードまたはマウス、スクリーン、１またはいくつかの外部ハードディスク、プリンタ、スキャナ等のような異なる周辺装置に接続され、または、利用可能なＩ／Ｏインタフェースの数が増加されうる。外部基本装置２００および携帯用電子装置１００の間で（連続的に）伝送されるデータが、信号コントローラまたはマルチプレクサ２５０によって個別のさらなる装置またはインタフェースに割り当てられうる。
【００８１】
図５ａ−ｂに関して、次に、さらに、本発明の携帯用電子装置１００および外部基本装置１００の代替手段およびオプションの実施の形態が例示される。
【００８２】
次に、図５ａにおいて例示されるように、携帯用電子装置１００のエネルギー供給手段１６０が、外部基本装置１００によって提供される磁場から適応接続によってエネルギー吸収のための複数のアンテナ配列１６２−ｎを含みうる。エネルギー供給手段１６０は、携帯用電子装置１００のエネルギー必要量に応じて、エネルギー供給手段１６０へまたはエネルギー供給手段からのエネルギー吸収のための複数のアンテナ配列１６２−ｎの個別のアンテナ配列１６２−１／２／３／４を、次に、選択的に接続または切断するための制御機能性を含みうる。特に、エネルギー供給手段１６０は、他のアンテナ配列の少なくとも１つと比較して、外部基本装置２００によって提供される磁場に増加した接続度または最も高い度合いを含む複数のアンテナ配列１６２−ｎからそれぞれのアンテナ配列またはいくつかのアンテナ配列も決定するために実装され、そして、外部基本装置によって提供される磁場から電磁結合によるエネルギー吸収のためのエネルギー供給手段１６０に増加した接続度を有するこの１つまたはいくつかのアンテナ配列に接続するように、実装される。
【００８３】
任意に、さらに外部基本装置２００は、携帯用電子装置１００のエネルギー供給のための磁場を生成するための複数のアンテナ配列２２２−ｎを含みうる。ここで、エネルギー提供手段２２０は、携帯用電子装置１００のエネルギー必要量に応じて、エネルギー供給のための複数のアンテナ配列２２２−ｎの個々のアンテナ配列２２２−１／２／３／４をエネルギー提供手段に選択的に接続するか、またはそれらをそれから切断するように、制御機能性を含みうる。さらに、エネルギー提供手段２２０は、他のアンテナ配列の少なくとも１つと比較して、携帯用電子装置１００のアンテナ配列１６２の増加した接続度を含む複数のアンテナ配列２２２−ｎの１つのアンテナ配列またはいくつかのアンテナ配列を決定するように実装されうる。ここで、エネルギー提供手段２２０は、さらに、磁場を生成するためにアンテナ配列２２２に対して増加した接続度を有するアンテナ配列を選択的に接続するか、またはそれを切断するように実装される。
【００８４】
本発明によれば、このように、たとえば、平行に配置されるアンテナ配列２２２のいくつかのアンテナコイルは、できるだけ効率的に２つの装置の間のそれぞれのエネルギー必要量を提供するために、各々の携帯用電子装置１００における個別のアンテナ配列１６２−ｎおよび外部基本装置２００における個別のアンテナ配列２２２−ｎをそれぞれのアンテナ配列１６２または２２２にまたはそれぞれのアンテナ配列１６２または２２２から、たとえば、選択的に接続または切断することによって、携帯用電子装置１００のそれぞれのエネルギー必要量に対して、外部基本装置２００および携帯用電子装置１００の間における送信された電力を適応しうる。
【００８５】
このように、アンテナ配列１６２−ｎは、充電可能なバッテリまたは外部装置の電流源をチャージすることを可能にするために、装置が、外部基本装置２００において異なる位置に配置されうるように携帯用電子装置１００に配置されるか、それに差し込まれるか、またはそれに接続されうる。たとえば、誘導電圧のそれぞれの値、および個別のアンテナ配列における接続度を決定する検知回路（図５ａにおいて図示せず）を介して、常に、外部基本装置２００および携帯用電子装置１００との間におけるエネルギー送信のための１つのアンテナ配列１６２は、たとえば、起動しうる。
【００８６】
図５ｂにおいてさらに例示されるように、携帯用電子装置１００の光学データ送信手段１４０は、外部基本装置２００に対して、導体のない光学データ送信を構築するための複数の光学インタフェースエレメント１４２−ｎを含みうる。さらに、光学データ送信手段１４０は、携帯用電子装置１００と外部基本装置２００との間における通信のための帯域幅の必要量に応じて、光学データ送信手段１４０に対して、データ送信のための複数のインタフェースエレメント２２２−ｎの個別の光学インタフェースエレメントを起動するか停止するように実装される制御手段１４４を付随しうる。
【００８７】
次に、たとえば、機能手段１２０が、複数の電子機能、すなわち、アプリケーションまたはサービスを含み、実行し、または提供する場合、エネルギー供給手段１６０の制御回路１６４は、さらに、（外部基本装置２００が対応する光学インタフェースエレメント２２２を含む場合）各複数の光学インタフェース１６２−ｎの１つの光学インタフェースエレメント１６２に対して外部基本装置１００とともにデータ通信を割り当てるように、この機能を実行する。その結果、機能手段１２０の電子機器の機能に付随するデータ通信が、光学インタフェースエレメント１６２または光学インタフェースエレメントのグループに付随する。さらに、携帯用電子装置１００を外部基本装置２００に接続する場合、携帯用電子装置１００のエネルギー供給手段１６０の制御回路１６４は、外部基本装置２００とともに、導体のない光学インタフェースエレメントを設定しうる。光学インタフェースエレメントまたは複数の光学インタフェースエレメント１６２−ｎから光学インタフェースエレメントを決定するように、実装されうる。
【００８８】
同様に、基本装置２００の光学双方向性データ通信手段２４０は、携帯用電子装置１００とともに、導体のない双方向性の光学データ通信を構築するための複数の光学インタフェースエレメント２２２−ｎを含みうる。ここで、制御回路２４４は、基本装置２００と携帯用電子装置１００との間の通信のための帯域幅の必要量に応じて、光学データデータ送信手段２４０におけるデータ送信のために複数の光学インタフェースエレメント２２２−ｎから個別の光学インタフェースエレメント２２２を起動するか、停止するために実装される光学データ送信手段２４０を付随しうる。さらに、制御回路２４４は、携帯用電子装置１００に対して携帯用電子装置１００の電子装置の機能を付随するデータ通信を複数の光学インタフェースエレメント２２２−ｎの光学インタフェースエレメントに割り当てるために実装されうる。
【００８９】
さらに、基本装置２００を携帯用電子装置１００に接続する場合、制御回路２４４は、携帯用電子装置に対して光学の導体のない通信接続を基本的に設定する複数の利用可能な光学インタフェースエレメント２２２−ｎから光学インタフェースエレメントまたはいくつかの光学インタフェースエレメントを決定するように、実装されうる。
【００９０】
要約すると、図５に関して、外部基本装置２００（ドッキング・ステーション）において、および携帯用電子装置１００においても、１つまたはいくつかの付加的な各光学インタフェースエレメントが配置され、または一体化されうる。一方では、帯域幅は、光学インタフェースエレメントの並列化によって、いくつかのギガビット／ｓに増加されうる。データは、この点において、それぞれのトランシーバにおいて個別のチャンネルに分けられ、同時に送信され、そして、個々のアプリケーションに対するそれぞれレシーバに順に送られる。このデータは、より遅い時間多重オペレーションにおいて送信される必要はない。個々の光学インタフェースは、たとえば、データ送信の必要量に応じて、そして、たとえば、アプリケーションに対する割り当てによって、選択的に接続されうる。
【００９１】
一方では、携帯用電子装置は、その上に提供される機械的配置によって、およびたとえば、外部基本装置２００における機械的な対象物に対応して、外部基本装置とともに、異なる位置（しかし、定義済み）および通信において、外部基本装置２００に接続されうる。たとえば、光学インタフェースエレメント１４２−２または２２２−２で実装されうる検知回路（図５において図示せず）を活用して、外部基本装置と接続を設定しうる１つの光学インタフェースまたはこれらの光学インタフェースが常に起動されうる。
【００９２】
次に、図６において、装置が例示される。ここで、携帯用電子装置１００は、携帯用電子装置１００の１つまたはいくつかの横方向の表面において各群において配置される、少なくとも１つの光学双方向性データ送信手段１４０および少なくとも１つのエネルギー供給手段１６０の複数のグループＡ−Ｄを含む。
【００９３】
このように、たとえば、データ送信手段１４０およびエネルギー供給手段１６０のグループＡ−Ｄは、携帯用電子装置１００において各々対称的に配列される。その結果、外部基本装置２００における（既に上述された）固定手段において、携帯用電子装置のランダム配列とともに、導体のないエネルギーおよびデータ送信が、携帯用電子装置１００と外部基本装置２００との間において、各々構築されうる。
【００９４】
このように、たとえば、予め定義される位置における、たとえば、携帯用電子装置の１つ、いくつかまたはすべての側または横方向の表面において、１つまたはいくつかのエネルギー供給手段１４０のグループおよび光学双方向性データ送信手段１６０が、外部基本装置２００とともに、導体のないエネルギーおよびデータ送信を構築しうるために提供される。同様に、外部基本装置２００において、いくつかの「スロット」が、たとえば、特有の固定手段によって与えられるいくつかの携帯用電子装置１００に対して提供されうる。
【００９５】
ここで、たとえば、特有の固定手段は、特有の携帯用電子装置１００と互換性を有するか、またはそれを受信するのみを可能であるために外部基本装置２００において実装されうるか、または、固定手段に関して対応する相対物を提供されるいくつかの携帯用電子装置を受信しうる。
【００９６】
本発明の携帯用電子装置の上記説明に関して、光学双方向性データ送信手段１４０およびエネルギー供給手段１６０のため、またはその制御および調整のために携帯用電子装置１００は、たとえば、個別の制御手段１４４もしくは１６４または任意に共通の（より高水準の）処理手段１２２（図１を参照）を含みうることが明らかであるべきである。このように、たとえば、オプションの（より高水準の）処理手段１２２は、機能手段１２０の機能の調整および／または制御、光学双方向性データ送信手段１４０および／またはエネルギー供給手段１６０に採用しうる。
【００９７】
それは、外部基本装置２００に適用される。ここで、エネルギー提供手段２２０および光学双方向性データ通信手段２４０を制御して、調整するために、個々の制御手段２２４もしくは２４４または任意の共通の高水準の制御手段２６０（図１を参照）が提供されうる。
【００９８】
以下において、図７に関して、携帯用電子装置１００を外部基本装置２００に接続するための本発明の方法７００が記載される。ここで、まず、最初のステップ７１０において、外部基本装置２００の接続領域に存在する携帯用電子装置が決定される。ここで、さらにステップ７２０において、導体のないエネルギーおよびデータ送信が、携帯用電子装置１００と外部基本装置２００との間において構築される。本発明によれば、アンテナ配列は、他のアンテナ配列の１つと少なくとも比較される外部基本装置２００によって提供される磁場に増加した接続度を含む携帯用電子装置１００の複数のアンテナ配列１６２−ｎから決定される。ここで、増加した接続度を有するアンテナ配列は、外部基本装置によって提供される磁場から電磁結合によってエネルギー吸収のために切り替えられうる。
【００９９】
さらに、携帯用電子装置を外部基本装置に接続する場合、光学インタフェースエレメントは、外部基本装置とともに、導体のない光学の通信接続を設定しうる携帯用電子装置の複数の光学インタフェースエレメントから決定されうる。
【０１００】
さらに、アンテナ配列が、少なくとも１つの他のアンテナ配列と比較したとき、携帯用電子装置に対して増加した接続度を含む外部基本装置の複数のアンテナ配列から決定されうる。ここで、そして、増加した接続度を有するアンテナ配列は、携帯用電子装置のエネルギー供給のための磁場を生成するためのエネルギー提供手段に接続されうる。最後に、基本装置を携帯用電子装置に接続する場合、光学インタフェースエレメントが、携帯用電子装置に光学の導体のない通信接続を設定する外部基本装置の複数の光学インタフェースエレメントから決定されうる。
【０１０１】
このように、本発明の概念によれば、携帯用電子装置と外部基本装置との間における導体のないエネルギーおよびデータ送信のために、環境の影響に関する携帯用電子装置および外部基本装置の両方の品質保護の程度を改良するために、多くの特別なソリューションを利用することなく可能である。その結果、本発明の概念は、対応する装置の増加した寿命および非常にシンプルな取扱を提供する。特に、特別な応用の適応は、比較的低い努力および特別な保護対策なしで完全な機能範囲を維持する、工業、医療技術または家電において実現されうる。このように、導体のないエネルギーおよびデータ送信のための携帯用電子装置および付随される外部基本装置のための上述の本発明のプラグのないアプローチは、それぞれのオペレータによって、非常にロバストで、ごみを通さず、そして防水の装置の実現を可能にする。これは、ワイヤレスデータおよびエネルギー送信の本発明の実装によって可能である。
【０１０２】
携帯用電子端末装置および付随する基地局の極めてロバストでユーザフレンドリな実装の問題とは別に、加えて、非常に効率的なシステムが、高い正味のデータレートを有する取得されるデータ送信レートに関して得られる。特に、これらの高いデータレートは、携帯用メモリスティック、ハードディスクおよびドッキング・ステーション、たとえば、ＨＤスクリーン、外部ハードディスクまたはカメラとともに、ギガビット／ｓの範囲におけるデータレートに関して、今日の必要量を満たす。高いデータレートを提供する問題とは別に、導体のないデータおよびエネルギー送信の接続によってのみ、改良された動作特性を有する非常にロバストで、プラグのない携帯用端末装置が提供され、そして、特に、多くの努力なしで開拓される応用分野に適応されるとき、エネルギー送信に対するワイヤレスのアプローチが、さらに、実現される。
【０１０３】
本発明のいくつかの実施の形態が、装置と関連して記載されているが、それらの実施の形態は、対応する方法の記載も表すことは明らかである。その結果、機能ブロックまたは装置のエレメントは、対応する方法ステップとしてまたは方法ステップの特徴としてもみなされうる。これに類似して、方法ステップに関連して説明された実施の形態は、対応する機能ブロックの詳細の記載または対応する装置の特徴も表す。
【０１０４】
特定の実現要求に応じて、本発明に実施の形態は、ハードウェアにおいて、または、ソフトウェアにおいて、実行されうる。その実現態様は、それぞれの送信／受信の方法が実行されるように、プログラミング可能なコンピュータシステムと協働するか、または協働することができる、そこに格納された電子的に読み込み可能な制御信号を有するデジタル記憶媒体、たとえば、フロッピー（登録商標）ディスク、ＤＶＤ、ブルーレイディスク、ＣＤ、ＲＯＭ、ＰＲＯＭ、ＥＰＲＰＭ、ＥＥＲＯＭ、またはＦＬＡＳＨメモリ、ハードディスクまたは、他の磁気もしくは光学メモリを使用して実行されうる。このように、デジタル記憶媒体は、コンピュータに読み込み可能である。このように、本発明によるいくつかの実施の形態は、本願明細書において記載された方法のうちの１つが実行されるように、プログラミング可能なコンピュータシステムまたはデジタル信号プロセッサと協働することができる電子的に読み込み可能な制御信号を含むデータキャリアを含む。
【０１０５】
いくつかの実施の形態において、プログラミング可能な論理回路（たとえば、現場でプログラム可能なゲートアレイ（ＦＰＧＡ：Ｆｉｅｌｄ  Ｐｒｏｇｒａｍｍａｂｌｅ  Ｇａｔｅ  Ａｒｒａｙ））が、本願明細書において記載される方法のいくつかまたは全ての機能を実行するために使用されうる。いくつかの実施の形態において、現場でプログラム可能なゲートアレイは、本願明細書において記載される方法の１つを事項するために、マイクロプロセッサと協働しうる。一般に、いくつかの実施の形態において、方法は、いくつかのハードウェア装置によって実行される。同じことが、コンピュータプロセッサ（ＣＰＵ）のようなハードウェア、またはたとえばＡＳＩＣのような方法のために特有のハードウェアを普遍的に使用しうる。
【０１０６】
上述した実施の形態は、本発明の原理の例を表すだけである。本願明細書において記載される装置の修正および変更は、他の当業者にとって明らかであることはいうまでもない。このように、本発明は、添付の特許請求の範囲によって、ならびに実施の形態の記述および説明によって表された具体的な本願明細書によっては制限されないという意図である。
【図１】
2013541318.tif 000003
【図２ａ】
2013541318.tif 000004
【図２ｂ】
2013541318.tif 000005
【図３ａ】
2013541318.tif 000006
【図３ｂ】
2013541318.tif 000007
【図３ｃ】
2013541318.tif 000008
【図４ａ】
2013541318.tif 000009
【図４ｂ】
2013541318.tif 000010
【図４ｃ】
2013541318.tif 000011
【図５ａ】
2013541318.tif 000012
【図５ｂ】
2013541318.tif 000013
【図６】
2013541318.tif 000014
【図７】
2013541318.tif 000015
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
電子機器の機能を提供するための機能手段（１２０）と、
外部基本装置とともに、導体のない光学データ通信のための光学データ送信手段（１４０）であって、ここで、前記光学データ送信手段（１４０）は、前記外部基本装置（２００）とともに、導体のない光学データ送信を構築するための複数の光学インタフェースエレメントを含み、そして、通信制御手段（１４４）は、前記光学データ送信手段（１４０）に付随し、前記通信制御手段は、前記機能手段の電子機器の機能を付随する外部基本装置とともに、前記複数の光学インタフェースエレメント（１４２−ｎ）の各光学インタフェースエレメントに対して、前記データ通信を選択的に割り当てるように実装される、光学データ送信手段と、
前記外部基本装置（２００）から放射される磁場からの電磁結合によるエネルギー吸収のため、ならびに前記外部磁場から取得される前記エネルギーに基づいて、前記機能手段（１２０）および前記データ送信手段（１４０）にエネルギーを供給するためのエネルギー供給手段（１６０）と、
を含む、携帯用電子装置（１００）。
【請求項２】
前記通信制御手段（１４４）は、前記携帯用電子装置と前記外部基本装置との間の前記通信のための前記帯域幅の必要量に応じて、並列のデータ送信のための前記複数の光学インタフェースエレメントの光学インタフェースエレメントのグループを起動させるように実装される、請求項１に記載の携帯用電子装置。
【請求項３】
前記エネルギー供給手段（１６０）は、充電可能な電荷蓄積素子（１６８）を含み、さらに、前記外部磁場から取得される前記エネルギーに基づいて、前記充電可能な電荷蓄積素子（１６８）にチャージさせるように実装される、請求項１または請求項２に記載の携帯用電子装置。
【請求項４】
前記携帯用電子装置（１００）が前記基本装置（２００）から切断される場合、前記エネルギー供給手段（１６０）は、前記充電可能な電荷蓄積素子（１６８）から前記機能手段（１２０）にエネルギーを供給するように実装される、請求項３に記載の携帯用電子装置。
【請求項５】
前記電荷蓄積素子（１６８）は、充電可能なバッテリまたは充電可能なコンデンサストレージとして実装される、請求項３または請求項４に記載の携帯用電子装置。
【請求項６】
前記エネルギー供給手段（１６０）は、前記基本装置とともに、前記基本装置からの前記エネルギー送信に関するデータのデータ交換を実行するために実装される通信手段（１６４）を含む、請求項１ないし請求項５のいずれかに記載の携帯用電子装置。
【請求項７】
前記エネルギー送信に関するデータは、前記外部磁場を提供するための前記外部磁場を生成する前記基本装置のための制御情報を含む、請求項６に記載の携帯用電子装置。
【請求項８】
前記通信手段（１６４）は、ロード変調によって前記エネルギー送信に関するデータの前記データ変換を実行するように実装される、請求項６または請求項７に記載の携帯用電子装置。
【請求項９】
前記エネルギー供給手段（１６０）は、前記外部基本装置（２００）によって提供される前記磁場から電磁結合によるエネルギー吸収のためのアンテナ配列（１６２）、または複数のアンテナ配列（１６２−ｎ）を含む、請求項１ないし請求項８のいずれかに記載の携帯用電子装置。
【請求項１０】
制御手段（１６４）は、前記エネルギー供給手段（１６０）に付随しており、ここで、前記制御手段は、前記携帯用電子装置の前記エネルギー需要に応じて、エネルギー吸収のための前記複数のアンテナ配列の個々のアンテナ配列を前記エネルギー供給手段に接続するか、またはそれを切断するように実装される、請求項９に記載の携帯用電子装置。
【請求項１１】
前記制御手段（１６４）は、前記他のアンテナ配列と比較して前記外部基本装置によって提供される前記磁場に増加した接続度を有する前記複数のアンテナ配列の前記アンテナ配列を決定するように実装され、そして、前記外部基本装置によって提供される前記磁場から電磁結合によるエネルギー吸収のために前記エネルギー供給手段に前記増加した接続度を有する前記アンテナ配列を接続するように、さらに実装される、請求項９または請求項１０に記載の携帯用電子装置。
【請求項１２】
エネルギー吸収のための前記複数のアンテナの配列は、前記携帯用電子装置（１００）の１つのまたはいくつかの側面に分布するように配置される、請求項９ないし請求項１１のいずれかに記載の携帯用電子装置。
【請求項１３】
前記携帯用電子装置を前記外部基本装置に接続する場合、前記通信制御手段（１４４）は、前記外部基本装置とともに、導体のない光学通信接続を設定しうる前記複数の光学インタフェースエレメントの前記光学インタフェースエレメントを決定するように、さらに実装される、請求項１ないし請求項１２に記載の携帯用電子装置。
【請求項１４】
前記複数の光学インタフェースエレメント（１４２−ｎ）は、赤外領域において、前記外部基本装置に対して、導体のない光学データ送信を実行するように実装される、請求項１ないし請求項１３のいずれかに記載の携帯用電子装置。
【請求項１５】
携帯電話、ノートパソコン、タブレット型パソコン、電子書籍またはデジタルカメラとして実装される携帯用電子装置であって、ここで、前記機能手段は、電子機器の機能としてアプリケーションまたはサービスを実行するように実装される、請求項１ないし請求項１４のいずれかに記載の携帯用電子装置。
【請求項１６】
前記機能手段（１２０）によって提供される電子機器の機能は、アプリケーションまたはサービスである、請求項１ないし請求項１５のいずれかに記載の携帯用電子装置。
【請求項１７】
携帯用データ記憶装置として実装される携帯用電子装置であって、ここで、前記機能手段は、単独で、データを格納するための大容量記憶素子を含み、そして、電子機器の機能としてそれを提供する、請求項１ないし請求項１４のいずれかに記載の携帯用電子装置。
【請求項１８】
人または患者を監視するための遠隔監視装置として実装される携帯用電子装置であって、ここで、前記機能手段は、電子機器の機能として、人または患者の医療のまたは生理学的なデータを検知するように実装され、そして検知されたデータを評価するかまたはインタフェースによって前記外部基本装置にまたはそれに接続された評価のための周辺装置に提供するように実装される、請求項１ないし請求項１４のいずれかに記載の携帯用電子装置。
【請求項１９】
ガスであるか液体環境の影響について、完全に密封してカプセル化される、請求項１ないし請求項１８のいずれかに記載の携帯用電子装置。
【請求項２０】
オペレータのためのデータインタフェースおよび／または対話インタフェースをさらに含む、請求項１ないし請求項１９のいずれかに記載の携帯用電子装置。
【請求項２１】
携帯用電子装置（１００）に対するエネルギーおよびデータ送信のための基本装置（２００）であって、
生成された磁場からの電磁結合によって前記携帯用電子装置（１００）のエネルギー供給のための磁場を生成するためのエネルギー提供手段（２２０）と、
前記携帯用電子装置（１００）とともに、導体のない光学データ通信のための光学双方向性データ通信手段（２４０）と、
を含み、
ここで、前記光学双方向性データ通信手段（２２０）は、前記携帯用電子装置とともに、導体のない双方向の光学データ通信を構築するための複数の光学インタフェースエレメント（２４２−ｎ）と含み、通信制御手段（２４４）は、前記光学データ通信手段（２４０）に付随し、前記通信制御手段は、前記携帯用電子装置の電子機器の機能に付随した前記携帯用電子装置とともに、前記複数の光学インタフェースエレメントの各光学インタフェースエレメントに対して、前記データ通信を選択的に割り当てるように実装される、
基本装置（２００）。
【請求項２２】
前記エネルギー提供手段（２２０）は、前記携帯用電子装置（１００）とともに、前記基本装置（２００）から前記携帯用電子装置（１００）に対するエネルギー送信に関するデータのデータ変換を実行するように実装される基本通信手段（２２４）を含む、請求項２１に記載の基本装置。
【請求項２３】
前記エネルギー提供手段（２２０）は、前記生成された磁場からの電磁結合によって前記携帯用電子装置のエネルギー供給のための前記磁場を生成するためのアンテナ配列（２２２）または複数のアンテナ配列（２２２−ｎ）を含む、請求項２１または請求項２２に記載の基本装置。
【請求項２４】
アンテナ配列制御手段（２２４）は、前記エネルギー提供手段（２２０）に付随しており、ここで、前記アンテナ配列制御手段は、前記携帯用電子装置の前記エネルギー需要に応じて、エネルギー供給のための前記複数のアンテナ配列の個々のアンテナ配列を前記エネルギー提供手段に接続するか、またはそれらをそれから切断するように実装される、請求項２３に記載の基本装置。
【請求項２５】
前記アンテナ配列制御手段（２２４）は、少なくとも前記他のアンテナ配列と比較して前記携帯用電子装置に対して増加した接続度を含む前記複数のアンテナ配列の前記アンテナ配列を決定するように実装され、そして、前記携帯用電子装置のエネルギー供給のための磁場を生成する前記エネルギー提供手段に対して前記増加した接続度を有する前記アンテナ配列を接続するように、さらに実装される、請求項２３または請求項２４に記載の基本装置。
【請求項２６】
前記通信制御手段（２４４）は、前記基本装置と前記携帯用電子装置との間の前記通信のための前記帯域幅の必要量に応じて、前記光学データ送信手段に対して、並列のデータ送信のための前記複数の光学インタフェースの光学インタフェースエレメントのグループを起動させるように実装される、請求項２５に記載の基本装置。
【請求項２７】
前記基本装置を携帯用電子装置に接続する場合、前記通信制御手段（２４４）は、前記携帯用電子装置とともに、光学の導体のない通信接続を設定しうる前記複数の光学インタフェースエレメントの前記光学インタフェースエレメントを決定するように、さらに実装される、請求項２１または請求項２６に記載の基本装置。
【請求項２８】
前記光学インタフェースエレメント（２４２）または前記複数の光学インタフェースエレメント（２４２−ｎ）は、赤外領域において、光学の導体のないデータ送信を実行するように実装される、請求項２６または請求項２７に記載の基本装置。
【請求項２９】
エネルギーおよびデータ送信のために位置合わせした、前記基本装置での所与の位置において、前記携帯用電子装置を確定し、および／または備え付けるための確定手段を、さらに含む、請求項２１ないし請求項２８のいずれかに記載の基本装置。
【請求項３０】
前記確定手段は、機械式、および／または磁気固定エレメントを含む、請求項２９に記載の基本装置。
【請求項３１】
複数の周辺装置に複数のデータインタフェースを提供するためのポート・リプリケータを、さらに含む、請求項２１ないし請求項３０のいずれかに記載の基本装置。
【請求項３２】
前記ポート・リブリケータは、インタフェースを介して、前記複数の周辺装置に対するデータ接続のための信号処理手段、および／またはマルチプレクサ装置を含む、請求項３１に記載の基本装置。
【請求項３３】
前記エネルギー提供手段（２２０）および前記データ通信手段（２４０）を制御するための制御手段（２６０；２２４，２４４）を、さらに含む、請求項２１ないし請求項３２のいずれかに記載の基本装置。
【請求項３４】
導体のないエネルギー供給およびデータ通信を有する外部ハードディスクまたはメモリスティックの形式における携帯用データ記憶装置（１００）であって、前記携帯用データ記憶装置は、
データを格納する形式で、電子機器の機能を提供するため、および要請に応じて格納されたデータを提供するための不揮発性記憶素子を有する機能手段（１２０）と、
外部基本装置とともに、導体のない光学データ通信のための光学双方向性データ送信手段と（１４０）、
前記外部基本装置から放射された磁場からの電磁結合によるエネルギー吸収のため、ならびに前記外部磁場から取得される前記エネルギーに基づいて、前記機能手段およびデータ送信手段にエネルギーを供給するためのエネルギー供給手段と、
を含み、
ここで、前記エネルギー供給手段は、充電可能な電荷蓄積素子（１６８）を含み、さらに、前記外部磁場から取得される前記エネルギーに基づいて、前記充電可能な電荷蓄積素子にチャージさせるように実装される、携帯用データ記憶装置。
【請求項３５】
前記電荷蓄積素子（１６８）は、ブリッジまたは短期のエネルギーストレージの形式で、充電可能なコンデンサストレージとして実装され、ここで、前記携帯用電子装置が前記基本装置から切断される場合、前記エネルギー供給手段は、前記充電可能な電荷蓄積素子から前記機能手段にエネルギーを供給するように実装される、請求項３４に記載の携帯用電子データ記憶装置。
【請求項３６】
前記データ記憶装置は、プラグのないように実装される、請求項３４または請求項３５に記載の携帯用電子データ記憶装置。
【請求項３７】
携帯用電子装置を外部基本装置に接続するための方法であって、ここで、前記光学データ送信手段（１４０）は、前記外部基本装置とともに、導体のない光学データ送信を構築するために複数の電子装置の機能およびさらなる複数の光学インタフェースエレメント（１４２−ｎ）を提供するための機能手段（１２０）を含み、前記方法は、
前記外部基本装置（２００）の接続領域において存在する携帯用電子装置（１００）を決定するステップと、
前記携帯用電子装置と前記外部基本装置との間に導体のないエネルギーおよびデータ送信を構築するステップと、
前記機能手段の電子機器の機能に付随した前記外部基本装置とともに、前記複数の光学インタフェースエレメントの各光学インタフェースエレメントに対して、前記データ通信を選択的に割り当てるステップと、
を含む、方法。
【請求項３８】
前記携帯用電子装置と前記外部基本装置との間の並列のデータ送信のために決定される帯域幅の必要量に応じて、前記携帯用電子装置の複数の光学インタフェースエレメントから光学インタフェースエレメントのグループを起動するステップをさらに含む、請求項３７に記載の方法。
【請求項３９】
他のアンテナ配列のうちの少なくとも１つと比較して、前記外部基本装置によって提供される前記磁場に増加した接続度を含む前記携帯用電子装置の複数のアンテナ配列からアンテナ配列を決定するステップと、
前記外部基本装置によって提供される前記磁場からの電磁結合によるエネルギー吸収のための増加した接続度を有する前記アンテナ配列を切り替えるステップと、
をさらに含む、請求項３７または請求項３８に記載の方法。
【請求項４０】
他のアンテナ配列のうちの少なくとも１つと比較して、前記携帯用電子装置とともに、増加した接続度を含む前記外部基本装置の複数のアンテナ配列からアンテナ配列を決定するステップと、
前記携帯用電子装置のエネルギー供給のために磁場を生成するための前記エネルギー提供手段に対する前記増加した接続度を有する前記アンテナ配列において切り替えるステップと、
をさらに含む、請求項３７ないし請求項３９のいずれかに記載の方法。
【国際調査報告】
2013541318.tif 000016
2013541318.tif 000017
2013541318.tif 000018
2013541318.tif 000019
2013541318.tif 000020
2013541318.tif 000021